(57)【要約】【課題】本発明は無線通信システムに関するものである。【解決手段】特に、本発明は、アップリンク制御情報を伝送する方法及びそのための装置に関し、複数のアップリンク制御チャネルリソースから、複数のＨＡＲＱ−ＡＣＫに対応する一つのアップリンク制御チャネルリソースを選択する段階と、前記選択されたアップリンク制御チャネルリソースを用いて前記複数のＨＡＲＱ−ＡＣＫに対応するビット値を伝送する段階と、を含む方法及びそのための装置に関するものである。【選択図】図１３
2014135758.tif 000002
【特許請求の範囲】
【請求項１】
無線通信システムにおいて、プライマリセル及びセカンダリセルを含む複数のセルで構成された通信装置によってアップリンク制御情報を伝送する方法であって、前記方法は、
表２を含む関係に従って、複数のＰＵＣＣＨ（Ｐｈｙｓｉｃａｌ  Ｕｐｌｉｎｋ  Ｃｏｎｔｒｏｌ  Ｃｈａｎｎｅｌ）リソースから、ＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）（０）、ＨＡＲＱ−ＡＣＫ（１）、ＨＡＲＱ−ＡＣＫ（２）及びＨＡＲＱ−ＡＣＫ（３）に対応する一つのＰＵＣＣＨリソースを選択することと、
前記選択されたＰＵＣＣＨリソースを用いて前記ＨＡＲＱ−ＡＣＫ（０）、前記ＨＡＲＱ−ＡＣＫ（１）、前記ＨＡＲＱ−ＡＣＫ（２）及び前記ＨＡＲＱ−ＡＣＫ（３）に対応するｂ（０）ｂ（１）を伝送することと
を含み、
前記ｂ（０）ｂ（１）は、表２を含む前記関係に従って与えられ、
【化１】
2014135758.tif 000021
ここで、前記ＨＡＲＱ−ＡＣＫ（０）及び前記ＨＡＲＱ−ＡＣＫ（１）は、前記プライマリセルと関連したデータブロックに対するＡＣＫ／ＮＡＣＫ／ＤＴＸ応答を表し、前記ＨＡＲＱ−ＡＣＫ（２）及び前記ＨＡＲＱ−ＡＣＫ（３）は、前記セカンダリセルと関連したデータブロックに対するＡＣＫ／ＮＡＣＫ／ＤＴＸ応答を表し、ｎ（１）ＰＵＣＣＨ，ｉ（ｉ＝０，１，２，３）は、前記複数のＰＵＣＣＨリソースを表し、ｎ（１）ＰＵＣＣＨ，０は、前記プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表す、方法。
【請求項２】
前記ＨＡＲＱ−ＡＣＫ（０）及び前記ＨＡＲＱ−ＡＣＫ（１）がいずれもＤＴＸであり、前記ＨＡＲＱ−ＡＣＫ（２）及び前記ＨＡＲＱ−ＡＣＫ（３）がいずれもＮＡＣＫである場合、行われる伝送がない、請求項１に記載の方法。
【請求項３】
前記プライマリセルは、ＰＣＣ（ｐｒｉｍａｒｙ  ｃｏｍｐｏｎｅｎｔ  ｃａｒｒｉｅｒ）を含み、前記セカンダリセルは、ＳＣＣ（ｓｅｃｏｎｄａｒｙ  ｃｏｍｐｏｎｅｎｔ  ｃａｒｒｉｅｒ）を含む、請求項１に記載の方法。
【請求項４】
プライマリセル及びセカンダリセルを含む複数のセルで構成され、かつ、無線通信システムにおいてアップリンク制御情報を伝送するように構成された通信装置であって、前記通信装置は、
無線周波数（ＲＦ）ユニットと、
プロセッサと
を含み、
前記プロセッサは、
表２を含む関係に従って、複数のＰＵＣＣＨ（Ｐｈｙｓｉｃａｌ  Ｕｐｌｉｎｋ  Ｃｏｎｔｒｏｌ  Ｃｈａｎｎｅｌ）リソースから、ＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）（０）、ＨＡＲＱ−ＡＣＫ（１）、ＨＡＲＱ−ＡＣＫ（２）及びＨＡＲＱ−ＡＣＫ（３）に対応する一つのＰＵＣＣＨリソースを選択することと、
前記選択されたＰＵＣＣＨリソースを用いて前記ＨＡＲＱ−ＡＣＫ（０）、前記ＨＡＲＱ−ＡＣＫ（１）、前記ＨＡＲＱ−ＡＣＫ（２）及び前記ＨＡＲＱ−ＡＣＫ（３）に対応するｂ（０）ｂ（１）を伝送することと
を行うように構成され、
前記ｂ（０）ｂ（１）は、表２を含む前記関係に従って与えられ、
【化２】
2014135758.tif 000022
ここで、前記ＨＡＲＱ−ＡＣＫ（０）及び前記ＨＡＲＱ−ＡＣＫ（１）は、前記プライマリセルと関連したデータブロックに対するＡＣＫ／ＮＡＣＫ／ＤＴＸ応答を表し、前記ＨＡＲＱ−ＡＣＫ（２）及び前記ＨＡＲＱ−ＡＣＫ（３）は、前記セカンダリセルと関連したデータブロックに対するＡＣＫ／ＮＡＣＫ／ＤＴＸ応答を表し、ｎ（１）ＰＵＣＣＨ，ｉ（ｉ＝０，１，２，３）は、前記複数のＰＵＣＣＨリソースを表し、ｎ（１）ＰＵＣＣＨ，０は、前記プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表す、通信装置。
【請求項５】
前記ＨＡＲＱ−ＡＣＫ（０）及び前記ＨＡＲＱ−ＡＣＫ（１）がいずれもＤＴＸであり、前記ＨＡＲＱ−ＡＣＫ（２）及び前記ＨＡＲＱ−ＡＣＫ（３）がいずれもＮＡＣＫである場合、行われる伝送がない、請求項４に記載の通信装置。
【請求項６】
前記プライマリセルは、ＰＣＣ（ｐｒｉｍａｒｙ  ｃｏｍｐｏｎｅｎｔ  ｃａｒｒｉｅｒ）を含み、前記セカンダリセルは、ＳＣＣ（ｓｅｃｏｎｄａｒｙ  ｃｏｍｐｏｎｅｎｔ  ｃａｒｒｉｅｒ）を含む、請求項４に記載の通信装置。
【発明の詳細な説明】
【技術分野】
【０００１】
本発明は、無線通信システムに係り、特に、制御情報を伝送する方法及びそのための装置に関するものである。
【背景技術】
【０００２】
無線通信システムが音声やデータなどのような種々の通信サービスを提供するために広範囲に展開されている。一般に、無線通信システムは、可用のシステムリソース（帯域幅、伝送パワー等）を共有してマルチユーザーとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいてアップリンク制御情報を效率的に伝送する方法及びそのための装置を提供することにある。本発明の他の目的は、マルチキャリア状況で制御情報、好適には、ＡＣＫ／ＮＡＣＫ情報を效率的に伝送する方法及びそのための装置を提供することにある。
【０００４】
本発明で達成しようとする技術的課題は、上記の技術的課題に制限されず、言及していない他の技術的課題は、下の記載から、本発明の属する技術の分野における通常の知識を有する者には明らかになるであろう。
【課題を解決するための手段】
【０００５】
本発明の一様相として、無線通信システムにおいてプライマリセル及びセカンダリセルを含む複数のセルが構成された状況でアップリンク制御情報を伝送する方法において、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１のための複数のＰＵＣＣＨリソースから、複数のＨＡＲＱ  ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのＰＵＣＣＨリソースを選択する段階と、前記選択されたＰＵＣＣＨリソースを用いて前記複数のＨＡＲＱ−ＡＣＫに対応するビット値を伝送する段階と、を含み、前記複数のＨＡＲＱ−ＡＣＫ、ＰＵＣＣＨリソース、ビット値間の関係は、表１の関係を含む方法が提供される：
【０００６】
【化１−１】
2014135758.tif 000003
表１で、ＨＡＲＱ−ＡＣＫ（０）は、プライマリセルと関連したデータブロックに対するＡＣＫ／ＮＡＣＫ／ＤＴＸ応答を表し、ＨＡＲＱ−ＡＣＫ（１）は、セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は前記ビット値を表す。
【０００７】
本発明の他の様相として、無線通信システムにおいてプライマリセルとセカンダリセルを含む複数のセルが構成された状況でアップリンク制御情報を伝送するように構成された通信装置において、無線周波数（Ｒａｄｉｏ  Ｆｒｅｑｕｅｎｃｙ、ＲＦ）ユニットと、プロセッサと、を含み、前記プロセッサは、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１のための複数のＰＵＣＣＨリソースから、複数のＨＡＲＱ−ＡＣＫに対応する一つのＰＵＣＣＨリソースを選択し、前記選択されたＰＵＣＣＨリソースを用いて前記複数のＨＡＲＱ−ＡＣＫに対応するビット値を伝送するように構成され、前記複数のＨＡＲＱ−ＡＣＫ、ＰＵＣＣＨリソース、ビット値間の関係は、表１の関係を含む通信装置が提供される：
【０００８】
【化１−２】
2014135758.tif 000004
表１で、ＨＡＲＱ−ＡＣＫ（０）は、プライマリセルと関連したデータブロックに対するＡＣＫ／ＮＡＣＫ／ＤＴＸ応答を表し、ＨＡＲＱ−ＡＣＫ（１）は、セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は前記ビット値を表す。
【０００９】
好適には、前記複数のＨＡＲＱ−ＡＣＫ、ＰＵＣＣＨリソース、ビット値間の関係は、表２の関係をさらに含む：
【００１０】
【化２】
2014135758.tif 000005
表２で、ＨＡＲＱ−ＡＣＫ（０）（１）は、プライマリセルと関連したデータブロックに対するＡＣＫ／ＮＡＣＫ／ＤＴＸ応答を表し、ＨＡＲＱ−ＡＣＫ（２）（３）は、セカンダリセルと関連したデータブロックに対するＡＣＫ／ＮＡＣＫ／ＤＴＸ応答を表し、ｎ（１）ＰＵＣＣＨ，ｉ（ｉ＝０，１，２，３）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は、前記ビット値を表す。
【００１１】
好適には、ｎ（１）ＰＵＣＣＨ，ｉはＰＵＣＣＨフォーマット１、好ましくはＰＵＣＣＨフォーマット１ｂのためのＰＵＣＣＨリソースを含む。
【００１２】
好適には、表１の関係は、前記ＨＡＲＱ−ＡＣＫ（０）がＤＴＸであり、前記ＨＡＲＱ−ＡＣＫ（１）がＮＡＣＫである場合、前記複数のＨＡＲＱ−ＡＣＫは、伝送がドロップされる場合をさらに含む。
【００１３】
好適には、表２の関係は、前記ＨＡＲＱ−ＡＣＫ（０）とＨＡＲＱ−ＡＣＫ（１）の両方がＤＴＸであり、前記ＨＡＲＱ−ＡＣＫ（２）とＨＡＲＱ−ＡＣＫ（３）の両方がＮＡＣＫである場合、前記複数のＨＡＲＱ−ＡＣＫは、伝送がドロップされる場合をさらに含む。
【００１４】
好適には、前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む。
【００１５】
好適には、前記アップリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、前記ダウンリンク制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含む。
【００１６】
本発明のさらに他の様相として、無線通信システムにおいてプライマリセルとセカンダリセルを含む複数のセルが構成された状況で端末がアップリンク制御情報を伝送する方法において、複数のアップリンク制御チャネルリソースから、複数のＨＡＲＱ−ＡＣＫに対応する一つのアップリンク制御チャネルリソースを選択する段階と、前記選択されたアップリンク制御チャネルリソースを用いて前記複数のＨＡＲＱ−ＡＣＫに対応する変調シンボルを伝送する段階と、を含み、それぞれのＨＡＲＱ−ＡＣＫは、ＡＣＫ／ＮＡＣＫ／ＤＴＸ応答を表し、プライマリセルと関連したデータブロックに対する一つ以上の第１ＨＡＲＱ−ＡＣＫを除いて、一つ以上のセカンダリセルと関連したデータブロックに対する第２ＨＡＲＱ−ＡＣＫがいずれもＮＡＣＫまたはＤＴＸ（Ｄｉｓｃｏｎｔｉｎｕｏｕｓ  Ｔｒａｎｓｍｉｓｓｉｏｎ）であれば、前記複数のＨＡＲＱ−ＡＣＫ及び前記変調シンボルのマッピング関係は、前記一つ以上の第１ＨＡＲＱ−ＡＣＫを基準に、単一ダウンリンクキャリア上から受信された一つ以上のデータブロックに対するＨＡＲＱ−ＡＣＫ及び変調シンボルのマッピング関係と同一である方法が提供される。
【００１７】
本発明のさらに他の様相として、無線通信システムにおいてプライマリセルとセカンダリセルを含む複数のセルが構成された状況でアップリンク制御情報を伝送するように構成された通信装置において、無線周波数（Ｒａｄｉｏ  Ｆｒｅｑｕｅｎｃｙ、ＲＦ）ユニットと、プロセッサと、を含み、前記プロセッサは、複数のアップリンク制御チャネルリソースから、複数のＨＡＲＱ−ＡＣＫに対応する一つのアップリンク制御チャネルリソースを選択し、前記選択されたアップリンク制御チャネルリソースを用いて前記複数のＨＡＲＱ−ＡＣＫに対応する変調シンボルを伝送するように構成され、前記それぞれのＨＡＲＱ−ＡＣＫはＡＣＫ／ＮＡＣＫ／ＤＴＸ応答を表し、プライマリセルと関連したデータブロックに対する一つ以上の第１ＨＡＲＱ−ＡＣＫを除いて、一つ以上のセカンダリセルと関連したデータブロックに対する第２ＨＡＲＱ−ＡＣＫがいずれもＮＡＣＫまたはＤＴＸ（Ｄｉｓｃｏｎｔｉｎｕｏｕｓ  Ｔｒａｎｓｍｉｓｓｉｏｎ）であれば、前記複数のＨＡＲＱ−ＡＣＫ及び前記変調シンボルのマッピング関係は、前記一つ以上の第１ＨＡＲＱ−ＡＣＫを基準に、単一ダウンリンクキャリア上から受信された一つ以上のデータブロックに対するＨＡＲＱ−ＡＣＫ及び変調シンボルのマッピング関係と同一である通信装置が提供される。
【００１８】
好適には、前記一つ以上の第１ＨＡＲＱ−ＡＣＫがいずれもＤＴＸであり、前記第２ＨＡＲＱ−ＡＣＫがいずれもＮＡＣＫである場合、前記複数のＨＡＲＱ−ＡＣＫは、伝送がドロップされる。
【００１９】
好適には、前記プライマリセルは、ＰＣＣ（Ｐｒｉｍａｒｙ  Ｃｏｍｐｏｎｅｎｔ  Ｃａｒｒｉｅｒ）を含み、前記セカンダリセルはＳＣＣ（Ｓｅｃｏｎｄａｒｙ  Ｃｏｍｐｏｎｅｎｔ  Ｃａｒｒｉｅｒ）を含む。
【００２０】
好適には、前記アップリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、前記ダウンリンク制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含む。
【発明の効果】
【００２１】
本発明によれば、無線通信システムにおいてアップリンク制御情報を效率的に伝送することができる。また、マルチキャリア状況で制御情報、好ましくは、ＡＣＫ／ＮＡＣＫ情報を效率的に伝送することができる。
【００２２】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００２３】
本発明に関する理解を助けるために詳細な説明の一部として含まれる添付図面は、本発明に係る実施例を提供し、詳細な説明と共に本発明の技術的思想を説明する。
【図１】無線フレーム（ｒａｄｉｏ  ｆｒａｍｅ）の構造を示す図である。
【図２】ダウンリンクスロットのリソースグリッドを示す図である。
【図３】ダウンリンクサブフレームの構造を示す図である。
【図４】アップリンクサブフレームの構造を示す図である。
【図５】ＰＵＣＣＨフォーマットをＰＵＣＣＨ領域に物理的にマッピングする一例を示す図である。
【図６】ＰＵＣＣＨフォーマット２／２ａ／２ｂのスロットレベル構造を示す図である。
【図７】ＰＵＣＣＨフォーマット１ａ／１ｂのスロットレベル構造を示す図である。
【図８】ＡＣＫ／ＮＡＣＫのためのＰＵＣＣＨリソースを決定する例を示す図である。
【図９】キャリア集約（Ｃａｒｒｉｅｒ  Ａｇｇｒｅｇａｔｉｏｎ、ＣＡ）通信システムを示す図である。
【図１０】複数のキャリアが集約された場合におけるスケジューリングを示す図である。
【図１１】ＤＬＣＣ変更区間における基地局及び端末の動作を示す図である。
【図１２】既存ＬＴＥによるＰＵＣＣＨフォーマット１ａ／１ｂベースのＡＣＫ／ＮＡＣＫ選択方式を示す図である。
【図１３】本発明の実施例によるＡＣＫ／ＮＡＣＫ伝送方法を示す図である。
【図１４Ａ】本発明の実施例によるＡＣＫ／ＮＡＣＫ伝送方法を示す図である。
【図１４Ｂ】本発明の実施例によるＡＣＫ／ＮＡＣＫ伝送方法を示す図である。
【図１５Ａ】本発明の実施例によるＡＣＫ／ＮＡＣＫ伝送方法を示す図である。
【図１５Ｂ】本発明の実施例によるＡＣＫ／ＮＡＣＫ伝送方法を示す図である。
【図１６Ａ】本発明の実施例によるＡＣＫ／ＮＡＣＫ伝送方法を示す図である。
【図１６Ｂ】本発明の実施例によるＡＣＫ／ＮＡＣＫ伝送方法を示す図である。
【図１７Ａ】本発明の実施例によるＡＣＫ／ＮＡＣＫ伝送方法を示す図である。
【図１７Ｂ】本発明の実施例によるＡＣＫ／ＮＡＣＫ伝送方法を示す図である。
【図１８Ａ】本発明の実施例によるＡＣＫ／ＮＡＣＫ伝送方法を示す図である。
【図１８Ｂ】本発明の実施例によるＡＣＫ／ＮＡＣＫ伝送方法を示す図である。
【図１９】本発明の実施例によるＡＣＫ／ＮＡＣＫ伝送方法を示す図である。
【図２０】本発明の実施例によるＡＣＫ／ＮＡＣＫ伝送方法を示す図である。
【図２１】本発明の実施例によるＡＣＫ／ＮＡＣＫ伝送方法を示す図である。
【図２２】本発明の実施例によるＡＣＫ／ＮＡＣＫ伝送方法を示す図である。
【図２３】本発明の実施例によるＡＣＫ／ＮＡＣＫ伝送方法を示す図である。
【図２４】本発明の実施例によるＡＣＫ／ＮＡＣＫ伝送方法を示す図である。
【図２５】本発明の一実施例に適用されうる基地局及び端末を示す図である。
【発明を実施するための形態】
【００２４】
以下の技数は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いられてよい。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ
ｅｖｏｌｕｔｉｏｎ）は、Ｅ−ＵＴＲＡを用いるＥ−ＵＭＴＳ（Ｅｖｏｌｖｅｄ  ＵＭＴＳ）の一部で、ダウンリンクにおいてＯＦＤＭＡを採用し、アップリンクにおいてＳＣ−ＦＤＭＡを採用する。ＬＴＥ−Ａ（Ａｄｖａｎｃｅｄ）は、３ＧＰＰ  ＬＴＥの進展したバージョンである。
【００２５】
説明を明確にするために、３ＧＰＰ  ＬＴＥ／ＬＴＥ−Ａを中心に説明するが、これに本発明の技術的思想が制限されることはない。また、以下の説明で使われる特定用語は、本発明の理解を助けるために提供されるもので、このような特定用語の使用は、本発明の技術的思想を逸脱しない範囲で他の形態に変更してもよい。
【００２６】
図１は、無線フレームの構造を示す図である。
【００２７】
図１を参照すると、無線フレームは、１０個のサブフレームを含む。サブフレームは、時間ドメインにおいて２つのスロットを含む。サブフレームを伝送する時間が伝送時間間隔（Ｔｒａｎｓｍｉｓｓｉｏｎ  Ｔｉｍｅ  Ｉｎｔｅｒｖａｌ、ＴＴＩ）と定義される。例えば、１サブフレームは、１ｍｓの長さを有することができ、１スロットは０．５ｍｓの長さを有することができる。１スロットは、時間ドメインにおいて、複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを有する。ＬＴＥは、ダウンリンクにおいてＯＦＤＭＡを使用し、アップリンクにおいてＳＣ−ＦＤＭＡを使用するので、ＯＦＤＭまたはＳＣ−ＦＤＭＡシンボルは、一つのシンボル期間を表す。リソースブロック（Ｒｅｓｏｕｒｃｅ  Ｂｌｏｃｋ、ＲＢ）は、リソース割当ユニットであり、１スロットで複数の連続した副搬送波を含む。同図の無線フレームの構造は例示的なもので、無線フレームに含まれるサブフレームの個数、サブフレームに含まれるスロットの個数、スロットに含まれるシンボルの個数は様々な方式で変形可能である。
【００２８】
図２は、ダウンリンクスロットのリソースグリッドを例示する図である。
【００２９】
図２を参照すると、ダウンリンクスロットは、時間ドメインにおいて複数のＯＦＤＭシンボルを含む。１ダウンリンクスロットは、７（６）個のＯＦＤＭシンボルを含み、リソースブロックは、周波数ドメインにおいて１２個の副搬送波を含むことができる。リソースグリッド上の各要素（ｅｌｅｍｅｎｔ）は、リソース要素（Ｒｅｓｏｕｒｃｅ  Ｅｌｅｍｅｎｔ、ＲＥ）と呼ばれる。１個のＲＢは、１２×７（６）個のＲＥを含む。ダウンリンクスロットに含まれるＲＢの個数ＮＲＢは、ダウンリンク伝送帯域に依存する。アップリンクスロットの構造は、ダウンリンクスロットの構造と同一であり、ただし、ＯＦＤＭシンボルがＳＣ−ＦＤＭＡシンボルに代替される。
【００３０】
図３は、ダウンリンクサブフレームの構造を示す図である。
【００３１】
図３を参照すると、サブフレームの１番目のスロットにおいて前部に位置する最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域に該当する。ＰＤＳＣＨは、伝送ブロック（Ｔｒａｎｓｐｏｒｔ  Ｂｌｏｃｋ、ＴＢ）あるいはそれに対応する符号語（ＣｏｄｅＷｏｒｄ、ＣＷ）を搬送するのに使われる。伝送ブロックは、伝送チャネルを介してＭＡＣ層からＰＨＹ層に伝達されたデータブロックを意味する。符号語は、伝送ブロックの符号化したバージョンに該当する。伝送ブロックと符号語との対応関係は、スワッピングによって変わることがある。本明細書において、ＰＤＳＣＨ、伝送ブロック及び符号語は互いに混用される。ＬＴＥで用いられるダウンリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などがある。ＰＣＦＩＣＨは、サブフレームの１番目のＯＦＤＭシンボルで伝送され、サブフレーム内において制御チャネルの伝送に使われるＯＦＤＭシンボルの個数に関する情報を搬送する。ＰＨＩＣＨは、アップリンク伝送に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を搬送する。
【００３２】
ＰＤＣＣＨを通じて伝送される制御情報をＤＣＩ（Ｄｏｗｎｌｉｎｋ  Ｃｏｎｔｒｏｌ
Ｉｎｆｏｒｍａｔｉｏｎ）と呼ぶ。ＤＣＩは、端末または端末グループのためのリソース割当情報及び他の制御情報を含む。例えば、ＤＣＩは、アップ／ダウンリンクスケジューリング情報、アップリンク伝送（Ｔｘ）パワー制御命令などを含む。多重−アンテナ技術を構成するための伝送モード及びＤＣＩフォーマットの情報コンテンツは、下記のとおりである。
【００３３】
伝送モード（Ｔｒａｎｓｍｉｓｓｉｏｎ  Ｍｏｄｅ）
●伝送モード１：Ｔｒａｎｓｍｉｓｓｉｏｎ  ｆｒｏｍ  ａ  ｓｉｎｇｌｅ  ｂａｓｅ  ｓｔａｔｉｏｎ  ａｎｔｅｎｎａ  ｐｏｒｔ
●伝送モード２：Ｔｒａｎｓｍｉｔ  ｄｉｖｅｒｓｉｔｙ
●伝送モード３：Ｏｐｅｎ−ｌｏｏｐ  ｓｐａｔｉａｌ  ｍｕｌｔｉｐｌｅｘｉｎｇ
●伝送モード４：Ｃｌｏｓｅｄ−ｌｏｏｐ  ｓｐａｔｉａｌ  ｍｕｌｔｉｐｌｅｘｉｎｇ●伝送モード５：Ｍｕｌｔｉ−ｕｓｅｒ  ＭＩＭＯ
●伝送モード６：Ｃｌｏｓｅｄ−ｌｏｏｐ  ｒａｎｋ−１  ｐｒｅｃｏｄｉｎｇ
●伝送モード７：Ｔｒａｎｓｍｉｓｓｉｏｎ  ｕｓｉｎｇ  ＵＥ−ｓｐｅｃｉｆｉｃ  ｒｅｆｅｒｅｎｃｅ  ｓｉｇｎａｌｓ
ＤＣＩフォーマット
●フォーマット０：Ｒｅｓｏｕｒｃｅ  ｇｒａｎｔｓ  ｆｏｒ  ｔｈｅ  ＰＵＳＣＨ  ｔｒａｎｓｍｉｓｓｉｏｎｓ  （ｕｐｌｉｎｋ）
●フォーマット１：Ｒｅｓｏｕｒｃｅ  ａｓｓｉｇｎｍｅｎｔｓ  ｆｏｒ  ｓｉｎｇｌｅ
ｃｏｄｅｗｏｒｄ  ＰＤＳＣＨ  ｔｒａｎｓｍｉｓｓｉｏｎｓ  （ｔｒａｎｓｍｉｓｓｉｏｎ  ｍｏｄｅｓ  １，  ２  ａｎｄ  ７）
●フォーマット１Ａ：Ｃｏｍｐａｃｔ  ｓｉｇｎａｌｉｎｇ  ｏｆ  ｒｅｓｏｕｒｃｅ  ａｓｓｉｇｎｍｅｎｔｓ  ｆｏｒ  ｓｉｎｇｌｅ  ｃｏｄｅｗｏｒｄ  ＰＤＳＣＨ  （ａｌｌ  ｍｏｄｅｓ）
●フォーマット１Ｂ：Ｃｏｍｐａｃｔ  ｒｅｓｏｕｒｃｅ  ａｓｓｉｇｎｍｅｎｔｓ  ｆｏｒ  ＰＤＳＣＨ  ｕｓｉｎｇ  ｒａｎｋ−１  ｃｌｏｓｅｄ  ｌｏｏｐ  ｐｒｅｃｏｄｉｎｇ  （ｍｏｄｅ  ６）
●フォーマット１Ｃ：Ｖｅｒｙ  ｃｏｍｐａｃｔ  ｒｅｓｏｕｒｃｅ  ａｓｓｉｇｎｍｅｎｔｓ  ｆｏｒ  ＰＤＳＣＨ  （ｅ．ｇ．  ｐａｇｉｎｇ／ｂｒｏａｄｃａｓｔ  ｓｙｓｔｅｍ  ｉｎｆｏｒｍａｔｉｏｎ）
●フォーマット１Ｄ：Ｃｏｍｐａｃｔ  ｒｅｓｏｕｒｃｅ  ａｓｓｉｇｎｍｅｎｔｓ  ｆｏｒ  ＰＤＳＣＨ  ｕｓｉｎｇ  ｍｕｌｔｉ−ｕｓｅｒ  ＭＩＭＯ  （ｍｏｄｅ  ５）
●フォーマット２：Ｒｅｓｏｕｒｃｅ  ａｓｓｉｇｎｍｅｎｔｓ  ｆｏｒ  ＰＤＳＣＨ  ｆｏｒ  ｃｌｏｓｅｄ−ｌｏｏｐ  ＭＩＭＯ  ｏｐｅｒａｔｉｏｎ  （ｍｏｄｅ  ４）
●フォーマット２Ａ：Ｒｅｓｏｕｒｃｅ  ａｓｓｉｇｎｍｅｎｔｓ  ｆｏｒ  ＰＤＳＣＨ
ｆｏｒ  ｏｐｅｎ−ｌｏｏｐ  ＭＩＭＯ  ｏｐｅｒａｔｉｏｎ  （ｍｏｄｅ  ３）
●フォーマット３／３Ａ：  Ｐｏｗｅｒ  ｃｏｎｔｒｏｌ  ｃｏｍｍａｎｄｓ  ｆｏｒ  ＰＵＣＣＨ  ａｎｄ  ＰＵＳＣＨ  ｗｉｔｈ  ２−ｂｉｔ／１−ｂｉｔ  ｐｏｗｅｒ  ａｄｊｕｓｔｍｅｎｔｓ
上述したように、ＰＤＣＣＨは、ダウンリンク共有チャネル（ｄｏｗｎｌｉｎｋ  ｓｈａｒｅｄ  ｃｈａｎｎｅｌ、ＤＬ−ＳＣＨ）の伝送フォーマット及びリソース割当情報、アップリンク共有チャネル（ｕｐｌｉｎｋ  ｓｈａｒｅｄ  ｃｈａｎｎｅｌ、ＵＬ−ＳＣＨ）の伝送フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で伝送されるランダムアクセス応答のような上位層制御メッセージのリソース割当情報、端末グループ内の個別端末に対するＴｘパワー制御命令セット、Ｔｘパワー制御命令、ＶｏＩＰ（Ｖｏｉｃｅ  ｏｖｅｒ  ＩＰ）の活性化指示情報などを搬送する。複数のＰＤＣＣＨが制御領域内で伝送されることができる。端末は、複数のＰＤＣＣＨをモニタリングすることができる。ＰＤＣＣＨは、一つまたは複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で伝送される。ＣＣＥは、ＰＤＣＣＨに、無線チャネル状態に基づくコーディングレートを提供するのに使われる論理的割当ユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数は、ＣＣＥの個数によって決定される。基地局は、端末に伝送されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者または使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスキングされる。例えば、ＰＤＣＣＨが特定端末のためのものである場合、該当の端末の識別子（例、ｃｅｌｌ−ＲＮＴＩ（Ｃ−ＲＮＴＩ））がＣＲＣにマスキングされればよい。ＰＤＣＣＨがページングメッセージのためのものである場合、ページング識別子（例、ｐａｇｉｎｇ−ＲＮＴＩ（Ｐ−ＲＮＴＩ））がＣＲＣにマスキングされればよい。ＰＤＣＣＨがシステム情報（より具体的に、システム情報ブロック（ｓｙｓｔｅｍ  ｉｎｆｏｒｍａｔｉｏｎ  ｂｌｏｃｋ、ＳＩＢ））のためのものである場合、ＳＩ−ＲＮＴＩ（ｓｙｓｔｅｍ  ｉｎｆｏｒｍａｔｉｏｎ  ＲＮＴＩ）がＣＲＣにマスキングされればよい。ＰＤＣＣＨがランダムアクセス応答のためのものの場合、ＲＡ−ＲＮＴＩ（ｒａｎｄｏｍ  ａｃｃｅｓｓ−ＲＮＴＩ）がＣＲＣにマスキングされればよい。
【００３４】
図４は、ＬＴＥで用いられるアップリンクサブフレームの構造を示す図である。
【００３５】
図４を参照すると、アップリンクサブフレームは、複数（例、２個）のスロットを含む。スロットは、ＣＰ長によって互いに異なる数のＳＣ−ＦＤＭＡシンボルを含むことができる。アップリンクサブフレームは、周波数領域においてデータ領域と制御領域とに区別される。データ領域はＰＵＳＣＨを含み、音声などのデータ信号を伝送するのに使用される。制御領域は、ＰＵＣＣＨを含み、アップリンク制御情報（Ｕｐｌｉｎｋ  Ｃｏｎｔｒｏｌ  Ｉｎｆｏｒｍａｔｉｏｎ、ＵＣＩ）を伝送するのに使用される。ＰＵＣＣＨは、周波数軸においてデータ領域の両端部に位置しているＲＢ対（ＲＢ  ｐａｉｒ）を含み、スロットを境界にしてホッピングする。
【００３６】
ＰＵＣＣＨは、下記の制御情報を伝送するのに使用されてよい。
【００３７】
−ＳＲ（Ｓｃｈｅｄｕｌｉｎｇ  Ｒｅｑｕｅｓｔ）：アップリンクＵＬ−ＳＣＨリソースを要請するのに用いられる情報である。ＯＯＫ（Ｏｎ−Ｏｆｆ  Ｋｅｙｉｎｇ）方式を用いて伝送される。
【００３８】
−ＨＡＲＱ  ＡＣＫ／ＮＡＣＫ：ＰＤＳＣＨ上のダウンリンクデータパケットに対する応答信号である。ダウンリンクデータパケットが成功的に受信されたか否かを表す。単一ダウンリンクコードワードに対する応答としてＡＣＫ／ＮＡＣＫ  １ビットが伝送され、２つのダウンリンクコードワードに対する応答としてＡＣＫ／ＮＡＣＫ  ２ビットが伝送される。
【００３９】
−ＣＱＩ（Ｃｈａｎｎｅｌ  Ｑｕａｌｉｔｙ  Ｉｎｄｉｃａｔｏｒ）：ダウンリンクチャネルに対するフィードバック情報である。ＭＩＭＯ（Ｍｕｌｔｉｐｌｅ  Ｉｎｐｕｔ
Ｍｕｌｔｉｐｌｅ  Ｏｕｔｐｕｔ）関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。サブフレーム当たり２０ビットが使用される。
【００４０】
端末がサブフレームで伝送できる制御情報（ＵＣＩ）の量は、制御情報伝送に使用可能なＳＣ−ＦＤＭＡの個数に依存する。制御情報伝送に使用可能なＳＣ−ＦＤＭＡは、サブフレームにおいて参照信号伝送のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除外される。参照信号は、ＰＵＣＣＨのコヒーレント検出に用いられる。ＰＵＣＣＨは、伝送される情報によって７個のフォーマットを支援する。
【００４１】
表１は、ＬＴＥにおいてＰＵＣＣＨフォーマットとＵＣＩとのマッピング関係を表す。
【００４２】
【表１】
2014135758.tif 000006
図５は、ＰＵＣＣＨフォーマットをＰＵＣＣＨ領域に物理的にマッピングする例を示す図である。
【００４３】
図５を参照すると、ＰＵＣＣＨフォーマットは、バンド−エッジ（ｅｄｇｅ）から始まって内側に、ＰＵＣＣＨフォーマット２／２ａ／２ｂ（ＣＱＩ）（例、ＰＵＣＣＨ領域ｍ＝０、１）、ＰＵＣＣＨフォーマット２／２ａ／２ｂ（ＣＱＩ）またはＰＵＣＣＨフォーマット１／１ａ／１ｂ（ＳＲ／ＨＡＲＱ  ＡＣＫ／ＮＡＣＫ）（例、存在する場合、ＰＵＣＣＨ領域ｍ＝２）、及びＰＵＣＣＨフォーマット１／１ａ／１ｂ（ＳＲ／ＨＡＲＱ  ＡＣＫ／ＮＡＣＫ）（例、ＰＵＣＣＨ領域ｍ＝３、４、５）の順にＲＢ上にマッピングされて伝送される。ＰＵＣＣＨフォーマット２／２ａ／２ｂ（ＣＱＩ）に使用可能なＰＵＣＣＨ  ＲＢの個数は、セル内でブロードキャストシグナリングを通じて端末に伝送される。
【００４４】
端末がＣＱＩを報告する周期（ｐｅｒｉｏｄｉｃｉｔｙ）及び頻度（ｆｒｅｑｕｅｎｃｙ  ｒｅｓｏｌｕｔｉｏｎ）は、基地局により制御される。時間ドメインで周期的ＣＱＩ報告方式及び非周期的ＣＱＩ報告方式が支援される。ＰＵＣＣＨフォーマット２は、周期的ＣＱＩ報告に用いられる。ただし、周期的ＣＱＩ報告において、ＣＱＩ伝送が予定されているサブフレームに、ＰＵＳＣＨがスケジューリングされているとすれば、ＣＱＩはデータにピギーバックされた後にＰＵＳＣＨを通じて伝送される。非周期的ＣＱＩ報告にはＰＵＳＣＨが用いられる。このために、基地局は端末に、個別ＣＱＩ報告をアップリンクデータ伝送のためにスケジューリングされたリソース（すなわち、ＰＵＳＣＨ）に埋め込んで（ｅｍｂｅｄｄｅｄ）伝送するように指示する。
【００４５】
図６は、ＰＵＣＣＨフォーマット２／２ａ／２ｂのスロットレベル構造を示す図である。ＰＵＣＣＨフォーマット２／２ａ／２ｂは、ＣＱＩ伝送に用いられる。ノーマル（ｎｏｒｍａｌ）ＣＰ（Ｃｙｃｌｉｃ  Ｐｒｅｆｉｘ）である場合、スロット内でＳＣ−ＦＤＭＡ＃１及び＃５は、ＤＭ  ＲＳ（Ｄｅｍｏｄｕｌａｔｉｏｎ  Ｒｅｆｅｒｅｎｃｅ  Ｓｉｇｎａｌ）伝送に用いられる。拡張（ｅｘｔｅｎｄｅｄ）ＣＰである場合、スロット内でＳＣ−ＦＤＭＡ＃３のみがＤＭ  ＲＳ伝送に用いられる。
【００４６】
図６を参照すると、サブフレームレベルにおいて１０ビットＣＱＩ情報がレート１／２パンクチャリングされた（２０，ｋ）Ｒｅｅｄ−Ｍｕｌｌｅｒコードを用いて、２０個のコーディング（ｃｏｄｅｄ）ビットにチャネルコーディングされる（図示せず）。その後、コーディングビットは、スクランブル（図示せず）を経て、ＱＰＳＫ（Ｑｕａｄｒａｔｕｒｅ  Ｐｈａｓｅ  Ｓｈｉｆｔ  Ｋｅｙｉｎｇ）コンステレーション（ｃｏｎｓｔｅｌｌａｔｉｏｎ）にマッピングされる（ＱＰＳＫ変調）。スクランブルは、ＰＵＳＣＨデータの場合と同様に、長さ−３１ゴールドシーケンスを用いて行えばよい。１０個のＱＰＳＫ変調シンボルが生成され、各スロットで５個のＱＰＳＫ変調シンボル（ｄ０〜ｄ４）が、該当のＳＣ−ＦＤＭＡシンボルを通じて伝送される。それぞれのＱＰＳＫ変調シンボルは、ＩＦＦＴ（Ｉｎｖｅｒｓｅ  Ｆａｓｔ  Ｆｏｕｒｉｅｒ  Ｔｒａｎｓｆｏｒｍ）の前に、長さ−１２のベース（ｂａｓｅ）ＲＳシーケンス（ｒｕ，０）を変調するのに用いられる。結果として、ＲＳシーケンスは、ＱＰＳＫ変調シンボルの値によって時間ドメインで巡回シフトされる（ｄｘ＊ｒｕ，０、ｘ＝０〜４）。ＱＰＳＫ変調シンボルとかけられたＲＳシーケンスは巡回シフトされる（ａｃｓ，ｘ、ｘ＝１，５）。巡回シフトの個数がＮである場合、同じＣＱＩ  ＰＵＣＣＨ  ＲＢ上にＮ個の端末が多重化されてよい。ＤＭ
ＲＳシーケンスは、周波数ドメインでＣＱＩシーケンスに似ているが、ＣＱＩ変調シンボルにより変調されない。
【００４７】
ＣＱＩの周期的報告のためのパラメータ／リソースは、上位層（例、ＲＲＣ）シグナリングによって半−静的（ｓｅｍｉ−ｓｔａｔｉｃ）に構成される。例えば、ＣＱＩ伝送のためにＰＵＣＣＨリソースインデックスｎ（２）ＰＵＣＣＨが設定されたとすれば、ＣＱＩは、ＰＵＣＣＨリソースインデックスｎ（２）ＰＵＣＣＨにリンクされたＣＱＩ  ＰＵＣＣＨ上で周期的に伝送される。ＰＵＣＣＨリソースインデックスｎ（２）ＰＵＣＣＨは、ＰＵＣＣＨ  ＲＢと巡回シフト（ａｃｓ）を指示する。
【００４８】
図７には、ＰＵＣＣＨフォーマット１ａ／１ｂのスロットレベル構造を示す。ＰＵＣＣＨフォーマット１ａ／１ｂは、ＡＣＫ／ＮＡＣＫ伝送に用いられる。ノーマルＣＰである場合、ＳＣ−ＦＤＭＡ＃２／＃３／＃４がＤＭ  ＲＳ（Ｄｅｍｏｄｕｌａｔｉｏｎ  Ｒｅｆｅｒｅｎｃｅ  Ｓｉｇｎａｌ）伝送に用いられる。拡張ＣＰである場合、ＳＣ−ＦＤＭＡ＃２／＃３がＤＭ  ＲＳ伝送に用いられる。したがって、スロットで４個のＳＣ−ＦＤＭＡシンボルがＡＣＫ／ＮＡＣＫ伝送に用いられる。便宜上、ＰＵＣＣＨフォーマット１ａ／１ｂをＰＵＣＣＨフォーマット１とする。
【００４９】
図７を参照すると、１ビット［ｂ（０）］及び２ビット［ｂ（０）ｂ（１）］ＡＣＫ／ＮＡＣＫ情報はそれぞれ、ＢＰＳＫ及びＱＰＳＫ変調方式によって変調され、一つのＡＣＫ／ＮＡＣＫ変調シンボルが生成される（ｄ０）。ＡＣＫ／ＮＡＣＫ情報においてそれぞれのビット［ｂ（ｉ）、ｉ＝０、１］は、該当のＤＬ伝送ブロックに対するＨＡＲＱ応答を表し、ポジティブＡＣＫの場合、該当のビットは１と与えられ、ネガティブＡＣＫ（ＮＡＣＫ）の場合、該当のビットは０と与えられる。表２は、既存ＬＴＥにおいてＰＵＣＣＨフォーマット１ａ及び１ｂのために定義された変調テーブルを表す。
【００５０】
【表２】
2014135758.tif 000007
ＰＵＣＣＨフォーマット１ａ／１ｂは、上述したＣＱＩと同様に、周波数ドメインで巡回シフト（ａｃｓ，ｘ）を行う他に、直交拡散コード（例、Ｗａｌｓｈ−ＨａｄａｍａｒｄまたはＤＦＴコード）（ｗ０，ｗ１，ｗ２，ｗ３）を用いて時間ドメイン拡散をする。ＰＵＣＣＨフォーマット１ａ／１ｂの場合、周波数及び時間ドメインの両方においてコード多重化が用いられるので、より多い端末が同一のＰＵＣＣＨ  ＲＢ上に多重化されることができる。
【００５１】
それぞれ異なる端末から伝送されるＲＳは、ＵＣＩと同じ方法を用いて多重化される。ＰＵＣＣＨ  ＡＣＫ／ＮＡＣＫ  ＲＢのためのＳＣ−ＦＤＭＡシンボルで支援される巡回シフトの個数は、セル−特定（ｃｅｌｌ−ｓｐｅｃｉｆｉｃ）上位層シグナリングパラメータ△ＰＵＣＣＨｓｈｉｆｔにより構成されることができる。△ＰＵＣＣＨｓｈｉｆｔ∈｛１，２，３｝はそれぞれ、シフト値が１２、６及び４であることを示す。時間−ドメインＣＤＭでＡＣＫ／ＮＡＣＫに実際に使用可能な拡散コードの個数は、ＲＳシンボルの個数により制限されることがある。少ない数のＲＳシンボルによってＲＳシンボルの多重化容量（ｍｕｌｔｉｐｌｅｘｉｎｇ  ｃａｐａｃｉｔｙ）がＵＣＩシンボルの多重化容量よりも小さいからである。
【００５２】
図８には、ＡＣＫ／ＮＡＣＫのためのＰＵＣＣＨリソースを決定する例を示す。ＬＴＥシステムにおいてＡＣＫ／ＮＡＣＫのためのＰＵＣＣＨリソースは、各端末にあらかじめ割り当てられておらず、複数のＰＵＣＣＨリソースをセル内の複数の端末が、毎時点に分けて使用する。具体的に、端末がＡＣＫ／ＮＡＣＫを伝送するのに使用するＰＵＣＣＨリソースは、該当のダウンリンクデータに関するスケジューリング情報を搬送するＰＤＣＣＨに対応する。それぞれのダウンリンクサブフレームでＰＤＣＣＨが伝送される全体領域は複数のＣＣＥ（Ｃｏｎｔｒｏｌ  Ｃｈａｎｎｅｌ  Ｅｌｅｍｅｎｔ）で構成され、端末に伝送されるＰＤＣＣＨは、一つ以上のＣＣＥで構成される。端末は、自身が受信したＰＤＣＣＨを構成するＣＣＥのうち、特定ＣＣＥ（例、最初のＣＣＥ）に対応するＰＵＣＣＨリソースを通じてＡＣＫ／ＮＡＣＫを伝送する。
【００５３】
図８を参照すると、ダウンリンクコンポーネントキャリア（ＤｏｗｎＬｉｎｋ  Ｃｏｍｐｏｎｅｎｔ  Ｃａｒｒｉｅｒ、ＤＬ  ＣＣ）においてそれぞれの四角形はＣＣＥを表し、アップリンクコンポーネントキャリア（ＵｐＬｉｎｋ  Ｃｏｍｐｏｎｅｎｔ  Ｃａｒｒｉｅｒ、ＵＬ  ＣＣ）においてそれぞれの四角形はＰＵＣＣＨリソースを表す。それぞれのＰＵＣＣＨインデックスは、ＡＣＫ／ＮＡＣＫのためのＰＵＣＣＨリソースに対応する。図８のように４〜６番のＣＣＥで構成されたＰＤＣＣＨを通じてＰＤＳＣＨに関する情報が伝達されるとすれば、端末は、ＰＤＣＣＨを構成する最初のＣＣＥである４番のＣＣＥに対応する４番のＰＵＣＣＨを通じてＡＣＫ／ＮＡＣＫを伝送する。図８は、ＤＬ  ＣＣに最大Ｎ個のＣＣＥが存在する時に、ＵＬ  ＣＣに最大Ｍ個のＰＵＣＣＨが存在する場合を例示している。Ｎ＝Ｍでもよいが、Ｍ値とＮ値を異なる値に設計し、ＣＣＥとＰＵＣＣＨとのマッピングが重なるようにすることも可能である。
【００５４】
特に、ＬＴＥシステムにおいてＰＵＣＣＨリソースインデックスは、下記のように定められる。
【００５５】
【数１】
2014135758.tif 000008
ここで、ｎ（１）ＰＵＣＣＨは、ＡＣＫ／ＮＡＣＫ／ＤＴＸを伝送するためのＰＵＣＣＨフォーマット１のリソースインデックスを表し、Ｎ（１）ＰＵＣＣＨは、上位層から伝達されるシグナリング値を表し、ｎＣＣＥは、ＰＤＣＣＨ伝送に使われたＣＣＥインデックスのうちの最小値を表す。ｎ（１）ＰＵＣＣＨから、ＰＵＣＣＨフォーマット１ａ／１ｂのための巡回シフト、直交拡散コード及びＰＲＢ（Ｐｈｙｓｉｃａｌ  Ｒｅｓｏｕｒｃｅ  Ｂｌｏｃｋ）が得られる。
【００５６】
ＬＴＥシステムがＴＤＤ方式で動作する場合、端末は、それぞれ異なる時点のサブフレームを通じて受信した複数のＰＤＳＣＨに対して、一つの多重化されたＡＣＫ／ＮＡＣＫ信号を伝送する。具体的に、端末は、ＰＵＣＣＨ選択伝送（ＰＵＣＣＨ  ｓｅｌｅｃｔｉｏｎ）方式を用いて複数のＰＤＳＣＨに対して一つの多重化されたＡＣＫ／ＮＡＣＫ信号を伝送する。ＰＵＣＣＨ選択伝送は、ＡＣＫ／ＮＡＣＫ選択方式とも呼ばれる。ＰＵＣＣＨ選択伝送方式において、端末は複数のダウンリンクデータを受信した場合に、多重化されたＡＣＫ／ＮＡＣＫ信号を伝送するために複数のアップリンク物理チャネルを占有する。例えば、端末は、複数のＰＤＳＣＨを受信した場合に、それぞれのＰＤＳＣＨを指示するＰＤＣＣＨの特定ＣＣＥを用いて同一の数のＰＵＣＣＨを占有することができる。この場合、占有した複数のＰＵＣＣＨのうち、いずれのＰＵＣＣＨを選択するかに関する情報と、選択したＰＵＣＣＨに適用される変調／符号化された内容の組み合わせを用いて多重化されたＡＣＫ／ＮＡＣＫ信号を伝送することができる。
【００５７】
表３は、ＬＴＥシステムに定義されたＰＵＣＣＨ選択伝送方式を表す。
【００５８】
【表３】
2014135758.tif 000009
表３で、ＡＣＫ（ｉ）は、ｉ−番目のデータユニット（０≦ｉ≦３）のＨＡＲＱ  ＡＣＫ／ＮＡＣＫ／ＤＴＸ結果を表す。ＤＴＸ（Ｄｉｓｃｏｎｔｉｎｕｏｕｓ  Ｔｒａｎｓｍｉｓｓｉｏｎ）は、ＡＣＫ（ｉ）に対応するデータユニットの伝送がない場合、または、端末がＨＡＲＱ−ＡＣＫ（ｉ）に対応するデータユニットの存在を検出できなかった場合を表す。それぞれのデータユニットと関連して最大４個のＰＵＣＣＨリソース（すなわち、ｎ（１）ＰＵＣＣＨ，０〜ｎ（１）ＰＵＣＣＨ，３）が占有されてよい。多重化されたＡＣＫ／ＮＡＣＫは、占有されたＰＵＣＣＨリソースから選択された一つのＰＵＣＣＨリソースを通じて伝送される。表３に記載されたｎ（１）ＰＵＣＣＨ，Ｘは、実際にＡＣＫ／ＮＡＣＫを伝送するのに用いられるＰＵＣＣＨリソースを表す。ｂ（０），ｂ（１）は、選択されたＰＵＣＣＨリソースを通じて伝送される２ビットを表し、ＱＰＳＫ方式で変調される。例えば、端末が４個のデータユニットを成功的に複号した場合、端末はｎ（１）ＰＵＣＣＨ，１と連結されたＰＵＣＣＨリソースを通じて（１，１）を基地局に伝送する。ＰＵＣＣＨリソース及びＱＰＳＫシンボルの組み合わせが可能なＡＣＫ／ＮＡＣＫ仮定を全て表すには足りないので、一部の場合を除いてはＮＡＣＫとＤＴＸはカップリングされる（ＮＡＣＫ／ＤＴＸ、Ｎ／Ｄ）。
【００５９】
図９には、キャリア集約（Ｃａｒｒｉｅｒ  Ａｇｇｒｅｇａｔｉｏｎ、ＣＡ）通信システムを例示する。ＬＴＥ−Ａシステムは、より広い周波数帯域のために複数のアップリンク／ダウンリンク周波数ブロックを束ねて、より大きいアップリンク／ダウンリンク帯域幅を使用するキャリア集約（ｃａｒｒｉｅｒ  ａｇｇｒｅｇａｔｉｏｎまたはｂａｎｄｗｉｄｔｈ  ａｇｇｒｅｇａｔｉｏｎ）技術を用いる。各周波数ブロックはコンポーネントキャリア（Ｃｏｍｐｏｎｅｎｔ  Ｃａｒｒｉｅｒ、ＣＣ）を用いて伝送される。コンポーネントキャリアは、該当の周波数ブロックのためのキャリア周波数（または中心キャリア、中心周波数）と理解すればよい。
【００６０】
図９を参照すると、複数のアップリンク／ダウンリンクコンポーネントキャリア（Ｃｏｍｐｏｎｅｎｔ  Ｃａｒｒｉｅｒ、ＣＣ）を束ねて、より広いアップリンク／ダウンリンク帯域幅を支援することができる。それぞれのＣＣは周波数領域で互いに隣接または非−隣接することができる。各コンポーネントキャリアの帯域幅は、独立的に定められてよい。ＵＬ  ＣＣの個数とＤＬ  ＣＣの個数とが異なる非対称キャリア集約も可能である。例えば、ＤＬ  ＣＣが２個、ＵＬ  ＣＣが１個である場合には、２：１に対応するように構成可能である。ＤＬ  ＣＣ／ＵＬ  ＣＣリンクは、システムに固定していたり、半−静的に構成されたりすることができる。また、システム全体帯域がＮ個のＣＣで構成されても、特定端末がモニタリング／受信できる周波数帯域は、Ｍ（＜Ｎ）個のＣＣに限定することができる。キャリア集約に対する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）または端末特定（ＵＥ−ｓｐｅｃｉｆｉｃ）方式で設定されてよい。一方、制御情報は、特定ＣＣを通じてのみ送受信されるように設定することができる。このような特定ＣＣをプライマリＣＣ（Ｐｒｉｍａｒｙ  ＣＣ、ＰＣＣ）（またはアンカーＣＣ）と呼び、残りのＣＣをセカンダリＣＣ（Ｓｅｃｏｎｄａｒｙ  ＣＣ、ＳＣＣ）と呼ぶことができる。
【００６１】
ＬＴＥ−Ａは、無線リソースを管理するためにセル（ｃｅｌｌ）の概念を使用する。セルは、ダウンリンクリソース及びアップリンクリソースの組み合わせと定義され、アップリンクリソースは必須要素ではない。したがって、セルは、ダウンリンクリソース単独、またはダウンリンクリソースとアップリンクリソースとから構成されることがある。キャリア集約が支援される場合、ダウンリンクリソースのキャリア周波数（または、ＤＬ  ＣＣ）とアップリンクリソースのキャリア周波数（または、ＵＬ  ＣＣ）間のリンケージ（ｌｉｎｋａｇｅ）は、システム情報により指示されてよい。プライマリ周波数（またはＰＣＣ）上で動作するセルをプライマリセル（Ｐｒｉｍａｒｙ  Ｃｅｌｌ、ＰＣｅｌｌ）と呼び、セカンダリ周波数（またはＳＣＣ）上で動作するセルをセカンダリセル（ＳｅｃｏｎｄａｒｙＣｅｌｌ、ＳＣｅｌｌ）と呼ぶことができる。ＰＣｅｌｌは、端末が初期接続設定（ｉｎｉｔｉａｌ  ｃｏｎｎｅｃｔｉｏｎｅ  ｓｔａｂｌｉｓｈｍｅｎｔ）過程を行ったり接続再−設定過程を行うのに用いられる。ＰＣｅｌｌは、ハンドオーバー過程で指示されたセルを指すこともできる。ＳＣｅｌｌは、ＲＲＣ接続設定後に構成可能であり、追加的な無線リソースを提供するのに用いられてよい。ＰＣｅｌｌとＳＣｅｌｌはサービングセルと総称することができる。したがって、ＲＲＣ＿ＣＯＮＮＥＣＴＥＤ状態にあるが、キャリア集約が設定されていない、または、キャリア集約を支援しない端末の場合、ＰＣｅｌｌのみで構成されたサービングセルが只一つ存在する。これに対し、ＲＲＣ＿ＣＯＮＮＥＣＴＥＤ状態にあり、キャリア集約が設定された端末の場合、一つ以上のサービングセルが存在し、全体サービングセルにはＰＣｅｌｌと全体ＳＣｅｌｌが含まれる。キャリア集約のために、ネットワークは初期保安活性化（ｉｎｉｔｉａｌ  ｓｅｃｕｒｉｔｙ  ａｃｔｉｖａｔｉｏｎ）過程が開始された後、接続設定過程で初期に構成されるＰＣｅｌｌに加えて、一つ以上のＳＣｅｌｌを、キャリア集約を支援する端末のために構成することができる。
【００６２】
図１０には、複数のキャリアが束ねられた場合のスケジューリングを例示する。３個のＤＬ  ＣＣが束ねられたと仮定する。ＤＬ  ＣＣ  ＡがＰＤＣＣＨ  ＣＣに設定されたとする。ＤＬ  ＣＣ  Ａ〜Ｃは、サービングＣＣ、サービングキャリア、サービングセル等と呼ぶことができる。ＣＩＦがディセーブルされた場合、それぞれのＤＬ  ＣＣはＬＴＥ
ＰＤＣＣＨ規則に従って、ＣＩＦなしで自身のＰＤＳＣＨをスケジューリングするＰＤＣＣＨのみを伝送することができる。反面、端末−特定（または端末−グループ−特定またはセル−特定）上位層のシグナリングによりＣＩＦがイネーブルされた場合、ＤＬ  ＣＣ  Ａ（ＰＤＣＣＨ  ＣＣ）は、ＣＩＦを用いてＤＬ  ＣＣ  ＡのＰＤＳＣＨをスケジューリングするＰＤＣＣＨだけでなく、他のＣＣのＰＤＳＣＨをスケジューリングするＰＤＣＣＨも伝送することができる。この場合、ＰＤＣＣＨ  ＣＣに設定されないＤＬ  ＣＣ
Ｂ／ＣではＰＤＣＣＨが伝送されない。したがって、ＤＬ  ＣＣ  Ａ（ＰＤＣＣＨ  ＣＣ）は、ＤＬ  ＣＣ  Ａと関連したＰＤＣＣＨサーチスペース、ＤＬ  ＣＣ  Ｂと関連したＰＤＣＣＨサーチスペース、及びＤＬ  ＣＣＣと関連したＰＤＣＣＨサーチスペースを全て含まなければならない。
【００６３】
ＬＴＥ−Ａは、複数のＤＬ  ＣＣを通じて伝送された複数のＰＤＳＣＨに対する複数のＡＣＫ／ＮＡＣＫ情報／信号を、特定ＵＬ  ＣＣ（例、ＵＬ  ＰＣＣまたはＵＬ  ＰＣｅｌｌ）を通じてフィードバックすることを考慮している。説明のために、端末が、あるＤＬ  ＣＣでＳＵ−ＭＩＭＯ（Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ）モードで動作して２個の符号語（あるいは、伝送ブロック）を受信するとしよう。この場合、端末は、該当のＤＬ  ＣＣに対してＡＣＫ／ＡＣＫ、ＡＣＫ／ＮＡＣＫ、ＮＡＣＫ／ＡＣＫ、ＮＡＣＫ／ＮＡＣＫの総４個のフィードバック状態、あるいはＤＴＸまで含めて最大５個のフィードバック状態を伝送できるものでなければならない。もし、該当のＤＬ  ＣＣが単一符号語（あるいは、伝送ブロック）を支援するように設定された場合、該当のＤＬ  ＣＣに対してＡＣＫ、ＮＡＣＫ、ＤＴＸの最大３つの状態が存在する。もし、ＮＡＣＫをＤＴＸと同一に処理すると、該当のＤＬ  ＣＣに対してＡＣＫ、ＮＡＣＫ／ＤＴＸの総２個のフィードバック状態が存在するようになる。したがって、端末が最大５個のＤＬ  ＣＣを束ね、全てのＣＣでＳＵ−ＭＩＭＯモードで動作するとすれば、最大５５個の伝送可能なフィードバック状態を有することができ、これを表現するためのＡＣＫ／ＮＡＣＫペイロードサイズは、総１２ビットとなる。もし、ＤＴＸをＮＡＣＫと同一に処理すると、フィードバック状態数は４５個になり、これを表現するためのＡＣＫ／ＮＡＣＫペイロードサイズは総１０ビットとなる。
【００６４】
このために、ＬＴＥ−Ａでは、複数のＡＣＫ／ＮＡＣＫ情報をチャネルコーディング（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌｃｏｄｅ等）した後、ＰＵＣＣＨフォーマット２、または新しいＰＵＣＣＨフォーマット（例、ブロック−拡散ベースのＰＵＣＣＨフォーマット）を用いて複数のＡＣＫ／ＮＡＣＫ情報／信号を伝送することが議論されている。また、ＬＴＥ−Ａでは、マルチキャリア状況で既存のＰＵＣＣＨフォーマット１ａ／１ｂとＡＣＫ／ＮＡＣＫ多重化（すなわち、ＡＣＫ／ＮＡＣＫ選択）方法を用いて複数のＡＣＫ／ＮＡＣＫ情報／信号を伝送することが議論されている。
【００６５】
一方、既存ＬＴＥ  ＴＤＤシステムにおいてＡＣＫ／ＮＡＣＫ多重化（すなわち、ＡＣＫ／ＮＡＣＫ選択）方法は、ＰＵＣＣＨリソース確保のためにそれぞれのＰＤＳＣＨをスケジューリングするそれぞれのＰＤＣＣＨに対応する（すなわち、最小ＣＣＥインデックスにリンクされた）ＰＵＣＣＨリソースを使用する暗黙的ＡＣＫ／ＮＡＣＫ選択方式を用いる。しかし、それぞれ異なるＲＢ内のＰＵＣＣＨリソースを用いて暗黙的ＡＣＫ／ＮＡＣＫ選択方式を適用する場合、性能劣化が生じることがある。そこで、ＬＴＥ−Ａでは、ＲＲＣシグナリングなどを通じて各端末にあらかじめ予約されたＰＵＣＣＨリソース、好ましくは、同一ＲＢまたは隣接ＲＢ内の複数のＰＵＣＣＨリソースを使用する明示的ＡＣＫ／ＮＡＣＫ選択方式が議論されている。
【００６６】
しかし、明示的ＡＣＫ／ＮＡＣＫ選択方式を適用して複数のＣＣに対するＡＣＫ／ＮＡＣＫを伝送する場合、基地局から実際にスケジューリングされたＣＣの個数は一つであるにもかかわらず、ＡＣＫ／ＮＡＣＫ伝送のために明示的に予約された複数のリソースが用いられる。例えば、複数のＤＬ  ＣＣのうち、ＡＣＫ／ＮＡＣＫ伝送ＵＬ  ＣＣにリンクされているＤＬ  ＣＣ（すなわち、プライマリ／アンカーＤＬ  ＣＣ）一つのみがスケジューリングされる場合、暗黙的に指定される（すなわち、ＰＤＣＣＨが伝送された最小ＣＣＥインデックスにリンクされている）ＰＵＣＣＨリソース（すなわち、ＰＵＣＣＨフォーマット１ａ／１ｂ）が可用であるにもかかわらず、余分に明示的ＰＵＣＣＨリソースを使用する状況が発生することがある。より包括的にいうと、プライマリ／アンカーＤＬ  ＣＣを含めて一つあるいは複数のＣＣが同時にスケジューリングされても、プライマリ／アンカーＤＬ  ＣＣ以外の残りＣＣに対していずれもＮＡＣＫあるいはＤＴＸである場合が存在でき、この場合にも、余分に明示的ＰＵＣＣＨリソースを使用することになる。
【００６７】
一方、ＬＴＥ−Ａは、キャリア構成を変更することができ、そのため、基地局と端末間にＡＣＫ／ＮＡＣＫ情報の不一致が発生することがある。図１０に、ＤＬ  ＣＣ変更区間における基地局及び端末の動作を例示する。
【００６８】
図１１を参照すると、基地局がＲＲＣ再構成あるいはＬ１／Ｌ２制御シグナリングによって端末が利用可能なＤＬ  ＣＣを変更する場合、基地局と端末間に、変更されたＤＬ  ＣＣを適用するタイミングが互いに異なることがある。例えば、基地局が、端末が利用可能なＣＣの個数を３から２に変更する場合、基地局がＤＬ  ＣＣの個数を３から２に変更してダウンリンクデータを伝送する時点と、端末がサービングＤＬ  ＣＣの個数を３から２に変更する時点とが異なることがある。また、基地局がＣＣ個数の変更を指示しても、端末が当該指示を受信するのに失敗すると、端末の知っているＤＬ  ＣＣの個数と基地局の知っているＤＬ  ＣＣの個数とが異なる時間区間が発生することがある。
【００６９】
そのため、基地局は２個のＤＬ  ＣＣに対するＡＣＫ／ＮＡＣＫを期待しているが、端末は３個のＤＬ  ＣＣに対するＡＣＫ／ＮＡＣＫを伝送する場合が生じうる。逆に、基地局は３個のＤＬ  ＣＣに対するＡＣＫ／ＮＡＣＫを期待しているが、端末は２個のＤＬ  ＣＣに対するＡＣＫ／ＮＡＣＫのみを基地局に伝送する場合も生じることがある。基地局がＤＬ  ＣＣの個数を２と知っている間に、端末が３個のＤＬ  ＣＣに対するＡＣＫ／ＮＡＣＫを伝送すると、基地局は、端末から受信したＡＣＫ／ＮＡＣＫに対して２個のＤＬ
ＣＣに対するＡＣＫ／ＮＡＣＫを基準に復調を試みる。この場合、ＡＣＫ／ＮＡＣＫが正確に復調されないという問題が生じる。すなわち、ＤＬ  ＣＣ構成の混同により基地局と端末間にＡＣＫ／ＮＡＣＫ情報の不一致が発生することがある。
【００７０】
以下、図面を参照して、複数のＣＣ（言い換えると、キャリア、周波数リソース、セル等）が束ねられた場合にアップリンク制御情報、好ましくはＡＣＫ／ＮＡＣＫを效率的に伝送する方案、そのためのリソース割当方案について説明する。説明の便宜上、以下の説明は、一つの端末に２個のＣＣが構成された場合を仮定する。また、ＣＣがｎｏｎ−ＭＩＭＯモードに設定された場合、該当のＣＣのサブフレームｋで最大１個の伝送ブロック（あるいは符号語）を伝送できると仮定する。また、ＣＣがＭＩＭＯモードに設定された場合、該当のＣＣのサブフレームｋで最大ｍ個（例、２個）の伝送ブロック（あるいは符号語）を伝送できると仮定する。ＣＣがＭＩＭＯモードに設定されたか否かは、上位層により設定された伝送モードを用いて判断することができる。また、該当のＣＣに対するＡＣＫ／ＮＡＣＫの個数は、実際に伝送された伝送ブロック（あるいは符号語）の個数によらず、該当のＣＣに対して設定された伝送モードによって１個（ｎｏｎ−ＭＩＭＯ）またはｍ個（ＭＩＭＯ）のＡＣＫ／ＮＡＣＫ情報が生成されると仮定する。
【００７１】
本明細書で、ＨＡＲＱ−ＡＣＫは、データブロックに対する受信応答結果、すなわち、ＡＣＫ／ＮＡＣＫ／ＤＴＸ応答（簡単に、ＡＣＫ／ＮＡＣＫ応答）を表す。ＡＣＫ／ＮＡＣＫ／ＤＴＸ応答は、ＡＣＫ、ＮＡＣＫ、ＤＴＸまたはＮＡＣＫ／ＤＴＸを意味する。また、“特定ＣＣに対するＨＡＲＱ−ＡＣＫ”あるいは“特定ＣＣのＨＡＲＱ−ＡＣＫ”とは、該当のＣＣと関連した（例、該当ＣＣにスケジューリングされた）データブロック（例、ＰＤＳＣＨ）に対するＡＣＫ／ＮＡＣＫ／ＤＴＸ応答（簡単に、ＡＣＫ／ＮＡＣＫ応答）を表す。また、ＡＣＫ／ＮＡＣＫ状態は、複数のＨＡＲＱ−ＡＣＫに対応する組み合わせを意味する。ここで、ＰＤＳＣＨは、伝送ブロックあるいは符号語に代替可能である。一方、ＬＴＥ−Ａで、ＤＬ  ＰＣＣは、セルフ−キャリアスケジューリングのみ可能である。したがって、ＤＬ  ＰＣＣ上のＰＤＳＣＨをスケジューリングするＰＤＣＣＨは、ＤＬ  ＰＣＣ上でのみ伝送される。反面、ＤＬＳＣＣは、クロス−キャリアスケジューリングが可能である。したがって、ＤＬＳＣＣ上のＰＤＳＣＨをスケジューリングするＰＤＣＣＨは、ＤＬ  ＰＣＣ上で伝送されたり（クロス−キャリアスケジューリング）、あるいは、該当のＤＬＳＣＣ上で伝送される（セルフ−キャリアスケジューリング）。
【００７２】
上述の問題を解決するために、本発明は、複数のＣＣに対する複数のＡＣＫ／ＮＡＣＫ伝送のためにＡＣＫ／ＮＡＣＫ選択方式を適用するとき、少なくとも、ＤＬ  ＰＣＣ（言い換えると、ＤＬ  ＰＣｅｌｌ）を含めて一つあるいは複数のＣＣがスケジューリングされる時、ＤＬ  ＰＣＣ以外の残りのＣＣ（すなわち、ＤＬ  ＳＣＣ）（言い換えると、ＤＬ  ＳＣｅｌｌ）に対していずれもＮＡＣＫあるいはＤＴＸである場合には、ＤＬ  ＰＣＣをスケジューリングするＰＤＣＣＨにリンクされた暗黙的ＰＵＣＣＨリソース（例、数学式１参照）を用いてＡＣＫ／ＮＡＣＫを伝送することを提案する。換言すれば、ＡＣＫ／ＮＡＣＫ状態マッピングの設計時に、ＤＬ  ＰＣＣ（あるいはＤＬ  ＰＣＣの各ＣＷ）に対しては“Ａ”または“Ｎ”であり、ＤＬ  ＳＣＣ（あるいはＤＬ  ＳＣＣの各ＣＷ）に対していずれも“Ｎ／Ｄ”であるＡＣＫ／ＮＡＣＫ状態は、明示的ＰＵＣＣＨリソースの代わりに、既存ＬＴＥに定義された方式によってＤＬ  ＰＣＣのためのＰＤＣＣＨにリンクされた暗黙的ＰＵＣＣＨリソースを使用するように制限されてよい（便宜上、“ＰＣＣフォールバック”と呼ぶ）。特徴的に、ＰＣＣフォールバック時に、ＡＣＫ／ＮＡＣＫ状態伝送に用いられるＰＵＣＣＨフォーマット及び該ＰＵＣＣＨフォーマットを通じて伝送される変調シンボルは、既存ＬＴＥに定義された方式に従うように制限可能である。例えば、ＰＣＣフォールバック時に、ＡＣＫ／ＮＡＣＫ状態は、図７を参照して例示したＰＵＣＣＨフォーマット１ｂ及び変調テーブル（表２参照）を用いて伝送されてよい。
【００７３】
より具体的に、まず、ＰＣＣの伝送モードがｎｏｎ−ＭＩＭＯモード（単一ＣＷ）に設定されている場合について説明する。ＰＣＣに対して“Ａ”または“Ｎ”であり、ＳＣＣ（あるいはＳＣＣの各ＣＷ）に対していずれも“Ｎ／Ｄ”である２個のＡＣＫ／ＮＡＣＫ状態を仮定する。この場合、ＡＣＫ／ＮＡＣＫ状態は、ＰＣＣをスケジューリングするＰＤＣＣＨにリンクされている暗黙的ＰＵＣＣＨリソース上の２個のコンステレーションポイントにマッピングされる。ここで、ＡＣＫ／ＮＡＣＫ状態のための２個のコンステレーションポイントは、好ましくは、単一ＣＣで単一ＣＷ伝送に対するＰＵＣＣＨフォーマット１ａ  ＡＣＫ／ＮＡＣＫ伝送のために定義された２個のコンステレーションポイントと同一となるように制限される。あるいは、ＡＣＫ／ＮＡＣＫ状態のための２個のコンステレーションポイントは、単一ＣＣでＰＵＣＣＨフォーマット１ｂ  ＡＣＫ／ＮＡＣＫ伝送のために定義された４個のコンステレーションポイントのうち、“ＡＡ”及び“ＮＮ”のための２個のコンステレーションポイントと同一となるように制限される。すなわち、コンステレーション上でＡＣＫ／ＮＡＣＫ状態のマッピング位置は、ＰＣＣの“Ａ”、“Ｎ”を基準に決定される。好ましくは、コンステレーション上で、ＡＣＫ／ＮＡＣＫ状態のマッピング位置は、ＰＣＣの“Ａ”、“Ｎ”がＰＵＣＣＨフォーマット１ａのための“Ａ”、“Ｎ”と同じ位置、あるいは、ＰＵＣＣＨフォーマット１ｂのための“ＡＡ”、“ＮＮ”と同じ位置に置かれるように制限される。
【００７４】
次に、ＰＣＣがＭＩＭＯモード（例、２個のＣＷあるいは２個のＴＢ）に設定されている場合について説明する。ＰＣＣに対して“Ａ＋Ａ”または“Ａ＋Ｎ”または“Ｎ＋Ａ”または“Ｎ＋Ｎ”であり、ＳＣＣ（あるいはＳＣＣの各ＣＷ）に対していずれも“Ｎ／Ｄ”である４個のＡＣＫ／ＮＡＣＫ状態を仮定する。この場合、ＡＣＫ／ＮＡＣＫ状態は、ＰＣＣをスケジューリングするＰＤＣＣＨにリンクされている暗黙的ＰＵＣＣＨリソース上の４個のコンステレーションポイントにマッピングされる。ここで、ＡＣＫ／ＮＡＣＫ状態のための４個のコンステレーションポイントは、好ましくは、単一ＣＣで２個のＣＷ伝送に対するＰＵＣＣＨフォーマット１ｂ  ＡＣＫ／ＮＡＣＫ伝送のために定義された４個のコンステレーションポイントと同一である。コンステレーション上でＡＣＫ／ＮＡＣＫ状態がマッピングされる位置は、ＰＣＣの各ＣＷの“Ａ”、“Ｎ”を基準に決定される。本明細書で、ＰＣＣの“Ｎ”は、ＮＡＣＫ、ＤＴＸまたはＮＡＣＫ／ＤＴＸを含む。好ましくは、コンステレーション上で、ＰＣＣの各ＣＷの“Ａ”、“Ｎ”は、ＰＵＣＣＨフォーマット１ｂのための各ＣＷの“Ａ”、“Ｎ”と同じ位置にマッピングされる。
【００７５】
図１２には、既存ＬＴＥに係る単一ＣＣにおける単一／２個のＣＷ伝送に対するＰＵＣＣＨフォーマット１ａ／１ｂベースのＡＣＫ／ＮＡＣＫ選択方式を例示する。図１３には、３個のＣＣ（ＰＣＣ、ＣＣ１、ＣＣ２）が束ねられた状況でＰＣＣがｎｏｎ−ＭＩＭＯまたはＭＩＭＯ伝送モードに設定された場合、本発明の一実施例に係るＡＣＫ／ＮＡＣＫ伝送方法を例示する。便宜上、本例においてＳＣＣ（すなわち、ＣＣ１、ＣＣ２）は両方も、ｎｏｎ−ＭＩＭＯモードに設定されているとする。
【００７６】
図１２及び図１３を参照すると、ｎｏｎ−ＭＩＭＯモードＰＣＣに対して“Ａ”または“Ｎ”であり、ＳＣＣに対していずれも“Ｎ／Ｄ”であるＡＣＫ／ＮＡＣＫ状態には、“明示的ＡＣＫ／ＮＡＣＫ選択”方式が適用されない（すなわち、ＰＣＣフォールバック）。すなわち、ＡＣＫ／ＮＡＣＫ状態（ＰＣＣ、ＣＣ１、ＣＣ２）＝（Ａ、Ｎ／Ｄ、Ｎ／Ｄ）、（Ｎ、Ｎ／Ｄ、Ｎ／Ｄ）は、ＰＣＣをスケジューリングするＰＤＣＣＨにリンクされた暗黙的ＰＵＣＣＨリソースにマッピング／伝送される。この場合、ＡＣＫ／ＮＡＣＫ状態とコンステレーションポイントとのマッピング関係は、ＰＣＣに対するＡＣＫ／ＮＡＣＫを基準に、図１２に示す既存ＬＴＥの規則に従う。
【００７７】
また、ＭＩＭＯモードＰＣＣに対して“Ａ＋Ａ”または“Ａ＋Ｎ”または“Ｎ＋Ａ”または“Ｎ＋Ｎ”であり、ＳＣＣに対していずれも“Ｎ／Ｄ”であるＡＣＫ／ＮＡＣＫ状態には、“明示的ＡＣＫ／ＮＡＣＫ選択”方式が適用されない（すなわち、ＰＣＣフォールバック）。この場合、ＡＣＫ／ＮＡＣＫ状態とコンステレーションポイントとのマッピング関係は、ＰＣＣに対するＡＣＫ／ＮＡＣＫを基準に、図１２に示す既存ＬＴＥの規則に従う。すなわち、ＡＣＫ／ＮＡＣＫ状態（ＰＣＣ  ＣＷ１、ＰＣＣ  ＣＷ２、ＣＣ１、ＣＣ２）＝（Ａ、Ａ、Ｎ／Ｄ、Ｎ／Ｄ）、（Ａ、Ｎ、Ｎ／Ｄ、Ｎ／Ｄ）、（Ｎ、Ａ、Ｎ／Ｄ、Ｎ／Ｄ）、（Ｎ、Ｎ、Ｎ／Ｄ、Ｎ／Ｄ）は、ＰＣＣをスケジューリングするＰＤＣＣＨにリンクされた暗黙的ＰＵＣＣＨリソースにマッピング／伝送される。
【００７８】
ＰＣＣがＭＩＭＯモードに設定されても、ＰＣＣ上で伝送される一つまたは複数のＰＤＳＣＨは、一つのＰＣＣ  ＰＤＣＣＨを通じてスケジューリングされる。したがって、ＰＣＣと関連したＡＣＫ／ＮＡＣＫの伝送のために一つの暗黙的ＰＵＣＣＨリソースが占有される。
【００７９】
表４及び表５には、図１３によるＡＣＫ／ＮＡＣＫ状態マッピングテーブルを例示する。表４及び表５は、全体ＡＣＫ／ＮＡＣＫ状態のうち、ＰＣＣフォールバックが行われる一部状態を表す。残りのＡＣＫ／ＮＡＣＫ状態を伝送するのに用いられるＰＵＣＣＨリソース及びビット値のマッピング関係は、本発明で任意に定義することができる。すなわち、残りのＡＣＫ／ＮＡＣＫ状態を伝送するのに用いられるＰＵＣＣＨリソース及びビット値のマッピング関係は、本発明においてｄｏｎ’ｔ  ｃａｒｅである。
【００８０】
【表４】
2014135758.tif 000010
ここで、ＨＡＲＱ−ＡＣＫ（０）は、ＰＣＣのＣＷ（あるいはＴＢ）に対するＡＣＫ／ＮＡＣＫ／ＤＴＸ応答を表す。ＨＡＲＱ−ＡＣＫ（１）は、ＳＣＣ１に対するＡＣＫ／ＮＡＣＫ／ＤＴＸ応答を表す。ＨＡＲＱ−ＡＣＫ（２）は、ＳＣＣ２のＣＷ１に対するＡＣＫ／ＮＡＣＫ／ＤＴＸ応答を表す。ＡＣＫ／ＮＡＣＫ／ＤＴＸ応答は、ＡＣＫ、ＮＡＣＫ、ＤＴＸまたはＮＡＣＫ／ＤＴＸを含む。ＰＣＣにおいてＮＡＣＫは、ＮＡＣＫ、ＤＴＸまたはＮＡＣＫ／ＤＴＸを含む。ＡＣＫ／ＮＡＣＫ状態に対応するｄ［０］が暗黙的ＰＵＣＣＨリソースを用いて伝送され、暗黙的ＰＵＣＣＨリソースは、ＰＣＣのＣＷ（あるいはＴＢ）スケジューリングに使われたＰＤＣＣＨにリンクされる（例、数学式１参照）。ＰＵＣＣＨフォーマット１ａ／１ｂ、好ましくは、ＰＵＣＣＨフォーマット１ｂが用いらてよい。
【００８１】
【表５】
2014135758.tif 000011
ここで、ＨＡＲＱ−ＡＣＫ（０）は、ＰＣＣのＣＷ１（あるいはＴＢ１）に対するＡＣＫ／ＮＡＣＫ／ＤＴＸ応答を表し、ＨＡＲＱ−ＡＣＫ（１）は、ＰＣＣのＣＷ２（あるいはＴＢ２）に対するＡＣＫ／ＮＡＣＫ／ＤＴＸ応答を表す。ＨＡＲＱ−ＡＣＫ（２）はＳＣＣ１に対するＡＣＫ／ＮＡＣＫ／ＤＴＸ応答を表す。ＨＡＲＱ−ＡＣＫ（３）はＳＣＣ２のＣＷ１に対するＡＣＫ／ＮＡＣＫ／ＤＴＸ応答を表す。ＡＣＫ／ＮＡＣＫ／ＤＴＸ応答はＡＣＫ、ＮＡＣＫ、ＤＴＸまたはＮＡＣＫ／ＤＴＸを含む。ＰＣＣでＮＡＣＫはＮＡＣＫ、ＤＴＸまたはＮＡＣＫ／ＤＴＸを含む。ＡＣＫ／ＮＡＣＫ状態に対応されるｄ［０］が暗黙的ＰＵＣＣＨリソースを利用し伝送されて、暗黙的ＰＵＣＣＨリソースはＰＣＣのＣＷ（あるいはＴＢ）スケジューリングに使われたＰＤＣＣＨにリンクされる（例、数学式１参照）。ＰＵＣＣＨフォーマット１ｂが用いられることができる。
【００８２】
図１３は、ＳＣＣの個数が２個であり、それぞれのＳＣＣがｎｏｎ−ＭＩＭＯモードに設定された場合を仮定している。しかし、この仮定は例示であり、全てのＳＣＣに対するＡＣＫ／ＮＡＣＫがＮＡＣＫ／ＤＴＸでさえあれば、本発明に係るＡＣＫ／ＮＡＣＫ伝送方法は、ＳＣＣの個数及びＳＣＣの伝送モードにより影響を受けない。したがって、“明示的ＡＣＫ／ＮＡＣＫ選択”方式を導入してもＡＣＫ／ＮＡＣＫリソースが非効率的に浪費されることを防止することができる。また、ＣＣ再構成過程におおいて基地局と端末との間にＣＣ構成に不一致があっても、少なくともＰＣＣに対するＡＣＫ／ＮＡＣＫ情報の不一致は解消することができる。
【００８３】
さらに、本発明は、“明示的ＡＣＫ／ＮＡＣＫ選択”方式に基づいて上記の暗黙的ＰＵＣＣＨリソースを用いたＰＣＣ  ＡＣＫ／ＮＡＣＫ伝送方法（すなわち、ＰＣＣフォールバック）を適用する場合、明示的ＰＵＣＣＨリソース上の具体的なＡＣＫ／ＮＡＣＫ状態マッピング方法について提案する。便宜上、以下の説明は、互いに独立した２個のＣＣが束ねられた状況だけを仮定するが、提案方法は、３個以上のＣＣにも拡張可能である。２個のＣＣはそれぞれＰＣＣとＳＣＣである。本方案によれば、端末は、Ａ／Ｎ状態によって複数のＰＵＣＣＨリソースから一つのＰＵＣＣＨリソースを選択し、選択されたＰＵＣＣＨリソースを用いてＡ／Ｎ状態に対応するｂ（０）ｂ（１）（すなわち、ｄ（０））を伝送する。ＰＵＣＣＨフォーマット１ｂが用いられるとする。
【００８４】
図１４Ａ及び図１４Ｂは、ＰＣＣとＳＣＣがいずれもＭＩＭＯ伝送モードである場合（すなわち、４個のＡ／Ｎ伝送が要求される）、一つの暗黙的ＰＵＣＣＨリソース（ＰＵＣＣＨ  ＃０）と３個の明示的ＰＵＣＣＨリソース（ＰＵＣＣＨ  ＃１、＃２、＃３）にＡ／Ｎ状態をマッピングする例を示す。端末は、図示のマッピング規則に従ってＰＵＣＣＨ信号を生成及び伝送する。
【００８５】
図１４Ａを参照すると、暗黙的リソースであるＰＵＣＣＨ  ＃０には、上述のＰＣＣフォールバック方法によってＡＣＫ／ＮＡＣＫ（Ａ／Ｎ）状態がマッピングされる。特徴的に、ＰＣＣに対して“Ｄ”であり、ＳＣＣに対して“ＮＮ”または“Ｄ”であるＡ／Ｎ状態、すなわち（Ｄ、ＮＮ／Ｄ）は伝送されない。すなわち、Ａ／Ｎ状態（Ｄ、ＮＮ／Ｄ）は、暗黙的／明示的ＰＵＣＣＨリソースのどこにもマッピングされない。これを２個以上のＣＣに対する“方法１”に一般化すれば、ＰＣＣに対して“Ｄ”であり、残りのＣＣに対していずれも“ＮＮ”／“Ｄ”（ＭＩＭＯ  ＣＣ）または“Ｎ”／“Ｄ”（ｎｏｎ−ＭＩＭＯ  ＣＣ）であるＡ／Ｎ状態は、伝送がドロップされる。結果として、互いに異なるＰＣＣ  Ａ／Ｎ状態は暗黙的リソース上の互いに異なるコンステレーションポイントにマッピングされる構造であり、暗黙的リソースの全てのコンステレーションポイントにおいてＳＣＣ  Ａ／Ｎ状態はいずれもＮＮ／Ｄであり同一である。
【００８６】
次に、３個の明示的ＰＵＣＣＨ  ＃１、＃２、＃３に残りのＡ／Ｎ状態をマッピングする時に、暗黙的リソースマッピング構造をそのまま適用することができる。まず、互いに異なるＰＣＣ  Ａ／Ｎ状態は、各明示的リソース上の互いに異なるコンステレーションポイントにマッピングされることができる。また、互いに異なる明示的リソース上の同じコンステレーションポイントにマッピングされるＰＣＣ  Ａ／Ｎ状態は、同一でよい。また、任意の明示的リソース上の全てのコンステレーションポイントには同じＳＣＣ  Ａ／Ｎ状態がマッピングされることができる。また、互いに異なる明示的リソース上の同じコンステレーションポイントには、互いに異なるＳＣＣ  Ａ／Ｎ状態がマッピングされることができる。これを暗黙的／明示的リソースを問わずに“方法２”に一般化すれば、ＰＣＣの場合、互いに異なるＰＣＣ  Ａ／Ｎ状態は、各ＰＵＣＣＨリソース上の互いに異なるコンステレーションポイントにマッピングされることができる。また、互いに異なるＰＵＣＣＨリソース上の同じコンステレーションポイントにマッピングされるＰＣＣ  Ａ／Ｎ状態は同一でよい。ＳＣＣの場合、任意のＰＵＣＣＨリソース上の全てのコンステレーションポイントには同じＳＣＣ  Ａ／Ｎ状態がマッピングされることができる。また、互いに異なるＰＵＣＣＨリソースには互いに異なるＳＣＣ  Ａ／Ｎ状態がマッピングされることができる。
【００８７】
図１４Ｂには、図１４ＡにおいてＡ／Ｎ状態内のＣＣ順序（ＰＣＣ、ＳＣＣ）を（ＳＣＣ、ＰＣＣ）に変更した場合におけるＡ／Ｎ状態マッピング方法を例示する。
【００８８】
表６は、図１４ＡによるＡ／Ｎ状態マッピングテーブルを例示する。表６は、４個のＰＵＣＣＨリソースを用いてＡＣＫ／ＮＡＣＫ選択を行う場合に、ＡＣＫ／ＮＡＣＫ選択のための全体Ａ／Ｎ状態のうち、ＰＣＣフォールバックが行われる一部の状態を示している。残りのＡＣＫ／ＮＡＣＫ状態を伝送するのに用いられるＰＵＣＣＨリソース及びビット値のマッピング関係は、本発明で任意に定義すればいい。すなわち、残りのＡＣＫ／ＮＡＣＫ状態を伝送するのに用いられるＰＵＣＣＨリソース及びビット値のマッピング関係は、本発明でｄｏｎ’ｔ  ｃａｒｅである。
【００８９】
【表６】
2014135758.tif 000012
ここで、ＨＡＲＱ−ＡＣＫ（０）は、ＰＣＣのＣＷ１（あるいはＴＢ１）に対するＡＣＫ／ＮＡＣＫ／ＤＴＸ応答を表し、ＨＡＲＱ−ＡＣＫ（１）は、ＰＣＣのＣＷ２（あるいはＴＢ２）に対するＡＣＫ／ＮＡＣＫ／ＤＴＸ応答を表す。同様に、ＨＡＲＱ−ＡＣＫ（２）は、ＳＣＣのＣＷ１（あるいはＴＢ１）に対するＡＣＫ／ＮＡＣＫ／ＤＴＸ応答を表し、ＨＡＲＱ−ＡＣＫ（３）は、ＳＣＣのＣＷ２（あるいはＴＢ２）に対するＡＣＫ／ＮＡＣＫ／ＤＴＸ応答を表す。ＡＣＫ／ＮＡＣＫ／ＤＴＸ応答は、ＡＣＫ、ＮＡＣＫ、ＤＴＸまたはＮＡＣＫ／ＤＴＸを含む。ＰＣＣにおいて、ＮＡＣＫは、ＮＡＣＫ、ＤＴＸまたはＮＡＣＫ／ＤＴＸを含む。ｎ（１）ＰＵＣＣＨ，ｉ（ｉ＝０，１，２，３）は、ＡＣＫ／ＮＡＣＫ選択のために占有された複数のＰＵＣＣＨリソースインデックスを表す。ｎ（１）ＰＵＣＣＨ，０は、ＰＣＣのＣＷ（あるいはＴＢ）スケジューリングに使われたＰＤＣＣＨにリンクされたＰＵＣＣＨリソースインデックスを表す（例、数学式１参照）。ＡＣＫ／ＮＡＣＫ状態に対応するｂ（０）ｂ（１）が暗黙的ＰＵＣＣＨリソースを用いて伝送される。ｂ（０）ｂ（１）は、ＰＵＣＣＨフォーマット１ｂを通じて伝送されてよい。この場合、ＰＵＣＣＨリソースは、ＰＵＣＣＨフォーマット１ｂのためのＰＵＣＣＨリソースを表す。
【００９０】
図１５Ａは、ＰＣＣ、ＳＣＣがそれぞれＭＩＭＯ、ｎｏｎ−ＭＩＭＯ伝送モードである場合（すなわち、３個のＡ／Ｎ伝送が要求される）、一つの暗黙的ＰＵＣＣＨリソース（ＰＵＣＣＨ  ＃０）と１個の明示的ＰＵＣＣＨリソース（ＰＵＣＣＨ  ＃１）にＡ／Ｎ状態をマッピングする例を示している。端末は、図示のマッピング規則に従ってＰＵＣＣＨ信号を生成及び伝送する。図１５Ａを参照すると、上述したＰＣＣフォールバック方法、方法１（すなわち、ＰＣＣ、ＳＣＣに対して（Ｄ、Ｎ／Ｄ）であるＡ／Ｎ状態は伝送されない）、方法２（すなわち、互いに異なるコンステレーションポイントでＰＣＣ  Ａ／Ｎ区別、互いに異なるＰＵＣＣＨリソースでＳＣＣ  Ａ／Ｎ区別）が共に適用されることがわかる。図１５Ｂは、図１５Ａで、Ａ／Ｎ状態内のＣＣ順序（ＰＣＣ、ＳＣＣ）を（ＳＣＣ、ＰＣＣ）に変更した場合におけるＡ／Ｎ状態マッピング方法を例示している。
【００９１】
図１６Ａには、ＰＣＣ、ＳＣＣがそれぞれｎｏｎ−ＭＩＭＯ、ＭＩＭＯ伝送モードである場合（すなわち、３個のＡ／Ｎ伝送が要求される）、一つの暗黙的ＰＵＣＣＨリソース（ＰＵＣＣＨ  ＃０）と２個の明示的ＰＵＣＣＨリソース（ＰＵＣＣＨ  ＃１、＃２）にＡ／Ｎ状態をマッピングする例を示す。この場合、まず、上記のＰＣＣフォールバック方法を適用した後、図示のように、上記の方法２において明示的リソースのみに対してＰＣＣとＳＣＣのマッピング規則を変えて適用することができる。これを、ｎｏｎ−ＭＩＭＯ
ＰＣＣとＭＩＭＯＳＣＣの明示的リソースマッピングのための“方法２ａ”に一般化すれば、ＳＣＣの場合、互いに異なるＳＣＣ  Ａ／Ｎ状態は、各明示的ＰＵＣＣＨリソース上の互いに異なるコンステレーションポイントにマッピングされ、互いに異なる明示的リソース上の同じコンステレーションポイントにマッピングされるＳＣＣ  Ａ／Ｎ状態は同一でよい。ＰＣＣの場合、任意の明示的ＰＵＣＣＨリソース上の全てのコンステレーションポイントには同じＰＣＣ  Ａ／Ｎ状態がマッピングされ、互いに異なる明示的ＰＵＣＣＨリソースには、互いに異なるＰＣＣ  Ａ／Ｎ状態がマッピングされればよい。次に、ＰＣＣ、ＳＣＣに対して（Ｄ、ＮＮ／Ｄ）であるＡ／Ｎ状態には上記の方法１をそのまま適用することができる。
【００９２】
一方、この場合には、明示的リソース上に既にマッピングされたＡ／Ｎ状態がないコンステレーションポイントが存在することがある。したがって、図示のように、上記のＡ／Ｎ状態（Ｄ、ＮＮ／Ｄ）を該当のコンステレーションポイントのいずれか一つに追加マッピングすることも可能である。これを“方法１ａ”に一般化すれば、ＰＣＣに対して“Ｄ”であり、残りのＣＣに対していずれも“ＮＮ”／“Ｄ”（ＭＩＭＯ  ＣＣ）または“Ｎ”／“Ｄ”（ｎｏｎ−ＭＩＭＯ  ＣＣ）であるＡ／Ｎ状態は、上記の方法２／２ａが適用された明示的ＰＵＣＣＨリソース上の既にマッピングされていない可用のコンステレーションポイントのいずれか一つにマッピングされることができる。
【００９３】
図１６Ａは、図１６でＡ／Ｎ状態内のＣＣ順序（ＰＣＣ、ＳＣＣ）を（ＳＣＣ、ＰＣＣ）に変更した場合におけるＡ／Ｎ状態マッピング方法を例示している。
【００９４】
図１７Ａは、ＰＣＣ、ＳＣＣがそれぞれｎｏｎ−ＭＩＭＯ、ＭＩＭＯ伝送モードである場合（すなわち、３個のＡ／Ｎ伝送が要求される）、一つの暗黙的ＰＵＣＣＨリソース（ＰＵＣＣＨ  ＃０）と１個の明示的ＰＵＣＣＨリソース（ＰＵＣＣＨ  ＃１）にＡ／Ｎ状態をマッピングする方法を例示している。
【００９５】
図１７Ａを参照すると、まず、上記のＰＣＣフォールバック、方法１を適用した後、明示的リソース使用を減らすために、暗黙的リソース上の既にマッピングされていない可用のコンステレーションポイントにＡ／Ｎ状態を追加マッピングすることができる。この時、ＰＣＣに対して“Ｄ”でないＡ／Ｎ状態のみに対して暗黙的リソースにマッピングが可能であるため、Ｎ／Ｄデカプリングによるリソース増加を考慮して、ＰＣＣに対して“Ａ”であるＡ／Ｎ状態の一部を暗黙的リソースにマッピングすることが好ましい。これを、ｎｏｎ−ＭＩＭＯ  ＰＣＣとＭＩＭＯＳＣＣのＡ／Ｎ状態マッピングのための“方法２ｂ”に一般化すれば、上記のＰＣＣフォールバック方法が適用された暗黙的ＰＵＣＣＨリソース上の既にマッピングされていない可用のコンステレーションポイントに、ＰＣＣに対して“Ａ”であるＡ／Ｎ状態の一部がマッピングされる。
【００９６】
図１７Ｂは、図１７ＡにおいてＡ／Ｎ状態内のＣＣ順序（ＰＣＣ、ＳＣＣ）を（ＳＣＣ、ＰＣＣ）に変更した場合におけるＡ／Ｎ状態マッピング方法を例示している。
【００９７】
図１８Ａは、ＰＣＣ、ＳＣＣが両方もｎｏｎ−ＭＩＭＯ伝送モードである場合（すなわち、２個のＡ／Ｎ伝送が要求される）、一つの暗黙的ＰＵＣＣＨリソース（ＰＵＣＣＨ  ＃０）と１個の明示的ＰＵＣＣＨリソース（ＰＵＣＣＨ  ＃１）にＡ／Ｎ状態をマッピングする方法を例示している。図１８を参照すると、上記のＰＣＣフォールバック方法、方法１または方法１ａ（ＰＣＣ、ＳＣＣに対して（Ｄ、Ｎ／Ｄ）であるＡ／Ｎ状態は伝送されないか、または、残りの明示的リソースにマッピングされる）、方法２が共に適用されることがわかる。
【００９８】
図１８Ｂは、図１８ＡにおいてＡ／Ｎ状態内のＣＣ順序（ＰＣＣ、ＳＣＣ）を（ＳＣＣ、ＰＣＣ）に変更した場合のＡ／Ｎ状態マッピング方法を例示している。
【００９９】
複数ＡＣＫ／ＮＡＣＫ伝送のために、上記提案したＰＣＣフォールバック方法、方法１／１ａ、方法２／２ａ／２ｂを適用して“明示的ＡＣＫ／ＮＡＣＫ選択”方式を運用すれば、ＰＵＣＣＨリソースオーバーヘッドを最小化させながら効率的なＡＣＫ／ＮＡＣＫ伝送が可能になる。
【０１００】
一方、ＰＣＣをスケジューリングするＰＤＣＣＨにリンクされた暗黙的ＰＵＣＣＨリソースと、ＳＣＣをスケジューリングするＰＤＣＣＨにリンクされた暗黙的ＰＵＣＣＨリソースを共に使用するＡＣＫ／ＮＡＣＫ選択方案も考慮することができる。この場合、任意のＭＩＭＯ伝送モードＣＣを通じて２個のＣＷ（あるいは２個のＴＢ）が伝送される場合、該当のＣＣをスケジューリングするＰＤＣＣＨ、すなわち、ＤＣＩフォーマットは、比較的大きいペイロードを有するようになり、２  ＣＣＥ集約レベル以上とエンコーディングされることができる。したがって、任意のＭＩＭＯ伝送モードＣＣを通じて２個のＣＷ（あるいは２個のＴＢ）が伝送された場合には、該当のＣＣをスケジューリングするＰＤＣＣＨの最小ＣＣＥインデックスｎＰＤＣＣＨとその次のインデックス（ｎＰＤＣＣＨ＋１）にそれぞれリンクされている２個の暗黙的ＰＵＣＣＨリソース（すなわち、暗黙的ＰＵＣＣＨ  ＃１、＃２）を使用することを考慮することができる。一方、ＭＩＭＯモードＣＣあるいはｎｏｎ−ＭＩＭＯモードＣＣを通じて単一ＣＷ（あるいは単一ＴＢ）が伝送された場合には、該当のＣＣをスケジューリングするＰＤＣＣＨの最小ＣＣＥインデックスｎＰＤＣＣＨにリンクされている１個の暗黙的ＰＵＣＣＨリソース（すなわち、暗黙的ＰＵＣＣＨ  ＃１）のみを使用することを考慮することができる。このような条件を、便宜上、“条件＃１”とする。
【０１０１】
一方、全てのＭＩＭＯモードＣＣにおいて２個のＣＷ伝送を勘案したＡ／Ｎ状態マッピングテーブルを生成した後、任意のＭＩＭＯモードＣＣを通じて単一ＣＷが伝送された場合には、上記のマッピングテーブルの一部（好ましくは、半分）を再使用する方式を考慮することができる。具体的に、ＭＩＭＯモードＣＣにおける単一ＣＷ伝送に対するＡＣＫまたはＮＡＣＫの２とおりのＡ／Ｎ状態は、該当のＣＣにおける２個のＣＷ伝送に対するＡＡ、ＡＮ、ＮＡ、ＮＮの４とおりのＡ／Ｎ状態のうちの２個にマッピングされることができる。まず、既存ＬＴＥで単一ＣＷ伝送に対するＰＵＣＣＨフォーマット１ａ／１ｂのＡＣＫ／ＮＡＣＫコンステレーション関係を考慮した場合、ＭＩＭＯモードＣＣの単一ＣＷに対するＡ、Ｎは、該当のＣＣの２個のＣＷに対するＡＡ、ＮＮにそれぞれマッピングされることがきる（Ａｌｔ１）。また、単一ＣＷ伝送時に、該当のＣＷを２個のＣＷ伝送時の最初のＣＷと見なし、２番目のＣＷをＮＡＣＫ（あるいはＤＴＸ）と処理することができる。すなわち、ＭＩＭＯモードＣＣの単一ＣＷに対するＡ、Ｎが、該当のＣＣの２個のＣＷに対するＡＮ、ＮＮにそれぞれマッピングされることができる（Ａｌｔ２）。
【０１０２】
便宜上、本明細書では、特に言及しない限り、Ａｌｔ１が適用されるとする。この時、上記の条件下で単一ＣＷが伝送されると、該当のＭＩＭＯモードＣＣをスケジューリングするＰＤＣＣＨの最小ＣＣＥインデックスにリンクされている暗黙的ＰＵＣＣＨ  ＃１のみ使用可能である。したがって、該当のＣＣに対してＡＡ、ＮＮであるＡ／Ｎ状態は、該当のＣＣをスケジューリングするＰＤＣＣＨにリンクされた（すなわち、該当のＣＣにリンクされた）暗黙的ＰＵＣＣＨ  ＃２にマッピング／伝送されることができない。これを“方法３”に一般化すれば、任意のＭＩＭＯモードＣＣに対して単一ＣＷ伝送時に用いられるＡ／Ｎ状態は、該当ＣＣにリンクされた暗黙的ＰＵＣＣＨ  ＃２にマッピング／伝送されることができない。
【０１０３】
このような条件で暗黙的ＰＵＣＣＨリソースベースののＡＣＫ／ＮＡＣＫ選択のためのＡ／Ｎ状態マッピング規則は、下記のように整理することができる。
【０１０４】
１）上記の提案ＰＣＣフォールバック方法の適用
●ＰＣＣに対してＡ、ＮあるいはＡＡ、ＡＮ、ＮＡ、ＮＮであり、残りのＣＣに対していずれもＮ／ＤあるいはＮＮ／ＤであるＡ／Ｎ状態は、ＰＣＣ  ＰＵＣＣＨ  ＃１にマッピングされる。
【０１０５】
２）上記の提案方法１の適用
●ＰＣＣに対してＤであり、残りのＣＣに対していずれもＮ／ＤあるいはＮＮ／ＤであるＡ／Ｎ状態は伝送されないとともに、ＰＵＣＣＨリソースのどこにもマッピングされない。
【０１０６】
３）暗黙的ＰＵＣＣＨリソースマッピングの適用（“暗黙的マッピング規則”）
●任意のＣＣに対してＮ／ＤあるいはＮＮ／ＤであるＡ／Ｎ状態は、該当のＣＣにリンクされた暗黙的ＰＵＣＣＨリソースのどこにもマッピング／伝送されることができない。
【０１０７】
４）提案方法３の適用
●ＭＩＭＯモードＣＣに対して単一ＣＷ伝送時に用いられるＡ／Ｎ状態（例、該当のＣＣの２個のＣＷに対してＡＡ、ＮＮであるＡ／Ｎ状態）は、該当のＣＣにリンクされた暗黙的ＰＵＣＣＨ  ＃２にマッピング／伝送されることができない。
【０１０８】
図１１を参照して説明したとおり、ＬＴＥ−Ａで端末が束ねるＤＬ  ＣＣセットは、ＲＲＣシグナリングを通じて端末−特定として割り当てられてよい。ＲＲＣシグナリングを通じてＤＬ  ＣＣセットを再設定（すなわち、再構成）する場合、再設定区間において基地局と端末がそれぞれ認識しているＤＬ  ＣＣセット（あるいは、ＤＬ  ＣＣ数）が不一致（すなわち、誤整列）して、Ａ／Ｎフィードバックと関連した動作が正常に動作しないことがある。しかし、上記の提案ＰＣＣフォールバック方法の場合、ＲＲＣ再構成を通じてＤＬ  ＣＣセットが変更され、これによって、Ａ／Ｎ選択のためのマッピング規則（例、マッピングテーブル）が変更されても、少なくともＰＣＣ  Ａ／Ｎ状態に対しては基地局と端末間に誤整列を防止することができる。また、上記のＡｌｔ１の場合（Ａｌｔ２とは違い）、ＲＲＣ再構成を通じて多数ＤＬ  ＣＣからＰＣＣ一つにＤＬ  ＣＣセットが変更されても、ＰＣＣに対して２個のＣＷ（あるいは２個のＴＢ）が伝送されるか或いは単一ＣＷ（あるいは単一ＴＢ）が伝送されるかにかかわらず、ＰＣＣ  Ａ／Ｎ状態マッピングに対する基地局と端末間の誤整列を防止することができる。
【０１０９】
図１９は、ＰＣＣとＳＣＣの両方がＭＩＭＯ伝送モードである場合（すなわち、４個のＡ／Ｎ伝送が要求される）、Ａ／Ｎ状態をマッピングする方法を例示する。本例の場合、ＰＣＣの２個のＣＷ（あるいは２個のＴＢ）に対するＡＣＫ／ＮＡＣＫのために占有された２つのＰＵＣＣＨリソース（以下、ＰＣＣ  ＰＵＣＣＨ  ＃１、＃２という。）とＳＣＣの２つのＣＷ（あるいは２つのＴＢ）に対するＡＣＫ／ＮＡＣＫのために占有された２つのＰＵＣＣＨリソース（以下、ＳＣＣ  ＰＵＣＣＨ  ＃１、＃２という。）が用いられる。ＰＣＣ  ＰＵＣＣＨ  ＃１、＃２は、暗黙的に与えられてよい。ＳＣＣ  ＰＵＣＣＨ
＃１、＃２は、明示的あるいは暗黙的に与えられてよい。
【０１１０】
図１９を参照すると、まず、ＰＣＣ  ＰＵＣＣＨ  ＃１に上記の提案ＰＣＣフォールバック方法及び方法１を適用してＡ／Ｎ状態をマッピングする。次に、上記の暗黙的マッピング規則と提案方法３を守って残りの３個のリソース（ＰＣＣ  ＰＵＣＣＨ  ＃２、ＳＣＣ  ＰＵＣＣＨ  ＃１、＃２）上に残りのＡ／Ｎ状態をマッピングする。具体的に、ＰＣＣの単一ＣＷ伝送時に用いられるＡ／Ｎ状態、すなわち、ＰＣＣの２個のＣＷに対してＡＡ、ＮＮであるＡ／Ｎ状態は、ＰＣＣ  ＰＵＣＣＨ  ＃２にマッピングされない。同様に、ＳＣＣの単一ＣＷ伝送時に用いられるＡ／Ｎ状態、すなわち、ＳＣＣの２個のＣＷに対してＡＡ、ＮＮであるＡ／Ｎ状態は、ＳＣＣ  ＰＵＣＣＨ  ＃２にマッピングされない。
【０１１１】
図２０は、２個のＣＣがそれぞれＭＩＭＯ、ｎｏｎ−ＭＩＭＯ伝送モードである場合（すなわち、３個のＡ／Ｎ伝送が要求される）、Ａ／Ｎ状態をマッピングする方法を例示する。本例の場合、ＭＩＭＯモードＣＣ（以下、ＭＣＣという。）の２つのＣＷ（あるいは２つのＴＢ）に対するＡＣＫ／ＮＡＣＫのために占有された２つのＰＵＣＣＨリソース（以下、ＭＣＣ  ＰＵＣＣＨ  ＃１、＃２という。）とｎｏｎ−ＭＩＭＯモードＣＣ（以下、ｎｏｎ−ＭＣＣという。）のＣＷ（あるいはＴＢ）に対するＡＣＫ／ＮＡＣＫのために占有された１個のＰＵＣＣＨリソース（以下、ｎｏｎ−ＭＣＣ  ＰＵＣＣＨという。）が用いられる。それぞれのＰＵＣＣＨリソースは、明示的あるいは暗黙的に与えられてよい。
【０１１２】
図２０を参照すると、まず、ＰＣＣがＭＩＭＯモードの場合を考慮して、ＭＣＣ  ＰＵＣＣＨ  ＃１に上記の提案ＰＣＣフォールバック方法を適用し、（ＭＣＣ＋ｎｏｎ−ＭＣＣ）に対するＡ／Ｎ状態（ＡＡ＋Ｎ／Ｄ）、（ＡＮ＋Ｎ／Ｄ）、（ＮＡ＋Ｎ／Ｄ）、（ＮＮ＋Ｎ／Ｄ）をＭＣＣ  ＰＵＣＣＨ  ＃１にマッピングすることができる。また、ＰＣＣがｎｏｎ−ＭＩＭＯモードの場合を考慮してｎｏｎ−ＭＣＣ  ＰＵＣＣＨにも上記の提案ＰＣＣフォールバック方法を適用し、（ＭＣＣ＋ｎｏｎ−ＭＣＣ）に対するＡ／Ｎ状態（ＮＮ／Ｄ＋Ａ）（あるいはＮＮ／ＤＤ＋Ａ）、（ＮＮ／Ｄ＋Ｎ）（あるいはＮＮ／ＤＤ＋Ｎ）をｎｏｎ−ＭＣＣ  ＰＵＣＣＨにマッピングすることができる（Ａｌｔ  ａ）。
【０１１３】
この時、（ＭＣＣ＋ｎｏｎ−ＭＣＣ）に対して上記のように（ＮＮ＋Ｎ／Ｄ）（すなわち、ＮＮＮ、ＮＮＤ）（ＭＣＣ  ＰＵＣＣＨ  ＃１）、（ＮＮ／Ｄ＋Ｎ）（すなわち、ＮＮＮ、ＤＮ（あるいはＤＤＮ））（ｎｏｎ−ＭＣＣ  ＰＵＣＣＨ）が共にマッピングされる場合、特定状態、例えば（ＮＮ＋Ｎ）のような状態が重複し、基地局がこれに対するブラインドデコーディングを行わなければならない。また、同じＡ／Ｎ状態（すなわち、（ＮＮ＋Ｎ））を互いに異なるＰＵＣＣＨリソースに重複マッピングすることによって、端末が基地局に伝送できるＡ／Ｎ状態が一つ浪費される。
【０１１４】
したがって、これを防止するために、ＭＣＣ  ＰＵＣＣＨ  ＃１に（ＮＮ＋Ｎ／Ｄ）はそのままマッピングし、ｎｏｎ−ＭＣＣ  ＰＵＣＣＨには、（ＮＮ／Ｄ＋Ｎ）（あるいはＮＮ／ＤＤ＋Ｎ）のうち（Ｄ＋Ｎ）（あるいはＤＤ＋Ｎ）のみをマッピングすることができる（Ａｌｔ  ｂ）。Ａｌｔ  ｂによれば、ｎｏｎ−ＭＣＣ  ＰＵＣＣＨ上で（ＮＮ／Ｄ＋Ｎ）（あるいはＮＮ／ＤＤ＋Ｎ）のうちの（Ｄ＋Ｎ）（あるいはＤＤ＋Ｎ）のみが伝送されるので、ＭＣＣに対してＤＴＸが設定されるか否かを明確にフィードバックすることができる。したがって、ＰＣＣに対するＤＴＸフィードバック観点から、Ａｌｔ  ｂは、ＰＣＣがＭＩＭＯモードで動作する場合に有利になりうる。あるいは、逆に、ＭＣＣ  ＰＵＣＣＨ  ＃１に（ＮＮ＋Ｎ／Ｄ）はそのままマッピングし、ｎｏｎ−ＭＣＣ  ＰＵＣＣＨには、（ＮＮ＋Ｎ／Ｄ）のうちの（ＮＮ＋Ｄ）のみをマッピングする方法を考慮することができる（Ａｌｔ  ｃ）。Ａｌｔ  ｃによれば、ＭＣＣ  ＰＵＣＣＨ上で（ＮＮ＋Ｎ／Ｄ）のうちの（ＮＮ＋Ｄ）のみが伝送されるので、ｎｏｎ−ＭＣＣに対してＤＴＸが設定されるか否かを明確にフィードバックすることができる。したがって、ＰＣＣに対するＤＴＸフィードバック観点から、Ａｌｔ  ｃは、ＰＣＣがｎｏｎ−ＭＩＭＯモードで動作する場合に有利になりうる。
【０１１５】
これを、“方法１ｂ”に一般化すれば、特定ＣＣ（すなわち、ＸＣＣ）に対してＡ、ＮあるいはＡＡ、ＡＮ、ＮＡ、ＮＮであり、残りのＣＣに対していずれもＮ／ＤあるいはＮＮ／ＤであるＡ／Ｎ状態が、ＸＣＣにリンクされた暗黙的ＰＵＣＣＨ  ＃１にマッピングされる場合、上記のＸＣＣに対してＤであり、残りのＣＣに対していずれもＮあるいはＮＮであるＡ／Ｎ状態は、残りのＣＣにリンクされた暗黙的ＰＵＣＣＨ  ＃１リソースの一つにマッピング／伝送されることができる。ここで、上記のＸＣＣをＰＣＣと考慮して提案方法１ｂを適用する場合、自動的に上記の提案方法１の適用は省略されてよい。
【０１１６】
結果として、Ａｌｔ  ａ、ｂ、ｃのいずれの方法が適用されても、ＰＣＣがＭＩＭＯモードか、ｎｏｎ−ＭＩＭＯモードかにかかわらず、上記の提案したＰＣＣフォールバック動作を可能にすることができる。本方案によれば、少なくとも、ＲＲＣ再構成区間の間に少なくともＰＣＣのＡ／Ｎ状態に対しては基地局と端末間に不一致無しで正常動作を行うことができる。次に、上記の暗黙的マッピング規則と提案方法３を守って（ＭＣＣ＋ｎｏｎ−ＭＣＣ）に対する残り３個のＡ／Ｎ状態（ＡＡ＋Ａ）、（ＡＮ＋Ａ）、（ＮＡ＋Ａ）をマッピングする。具体的に、ＭＣＣの単一ＣＷ（あるいはＴＢ）伝送時に用いられるＡ／Ｎ状態、すなわち、ＭＣＣの２個のＣＷ（あるいは２個のＴＢ）に対してＡＡ、ＮＮであるＡ／Ｎ状態は、ＭＣＣ  ＰＵＣＣＨ  ＃２にマッピングされない。
【０１１７】
表７〜表９は、図２０に係るＡ／Ｎ状態マッピングテーブルを例示するものである。表７〜表９はそれぞれ、Ａｌｔ  １〜３に対応する。表７〜表９は、ＡＣＫ／ＮＡＣＫ選択のための全体Ａ／Ｎ状態のうち、ＰＣＣフォールバックが行われる一部の状態を表す。残りのＡＣＫ／ＮＡＣＫ状態を伝送するのに用いられるＰＵＣＣＨリソース及びビット値のマッピング関係は、本発明で任意に定義すればよい。すなわち、残りのＡＣＫ／ＮＡＣＫ状態を伝送するのに用いられるＰＵＣＣＨリソース及びビット値のマッピング関係は、本発明においてｄｏｎ’ｔ  ｃａｒｅである。表７〜表９は、３個のＰＵＣＣＨリソースを用いてＡＣＫ／ＮＡＣＫ選択を行う場合を例示する。
【０１１８】
【表７】
2014135758.tif 000013
【０１１９】
【表８】
2014135758.tif 000014
【０１２０】
【表９】
2014135758.tif 000015
ここで、ＨＡＲＱ−ＡＣＫ（０）は、ＭＣＣのＣＷ１（あるいはＴＢ１）に対するＡＣＫ／ＮＡＣＫ／ＤＴＸ応答を表し、ＨＡＲＱ−ＡＣＫ（１）は、ＭＣＣのＣＷ２（あるいはＴＢ２）に対するＡＣＫ／ＮＡＣＫ／ＤＴＸ応答を表す。ＨＡＲＱ−ＡＣＫ（２）は、ｎｏｎ−ＭＣＣのＣＷ（あるいはＴＢ）に対するＡＣＫ／ＮＡＣＫ／ＤＴＸ応答を表す。ＡＣＫ／ＮＡＣＫ／ＤＴＸ応答は、ＡＣＫ、ＮＡＣＫ、ＤＴＸまたはＮＡＣＫ／ＤＴＸを含む。ＭＣＣがＰＣＣである場合、ｎｏｎ−ＭＣＣはＳＣＣになる。逆に、ｎｏｎ−ＭＣＣがＰＣＣである場合、ＭＣＣはＳＣＣになる。表中、ＮＡＣＫは、ＮＡＣＫ、ＤＴＸまたはＮＡＣＫ／ＤＴＸを含む。ｎ（１）ＰＵＣＣＨ，ｉ（ｉ＝０，１，２）は、ＡＣＫ／ＮＡＣＫ選択のために占有された複数のＰＵＣＣＨリソースインデックスを表す。ｎ（１）ＰＵＣＣＨ，０は、ＭＣＣのＣＷ１（あるいはＴＢ１）に対するＡＣＫ／ＮＡＣＫのために占有されたＰＵＣＣＨリソースインデックスを表す。ｎ（１）ＰＵＣＣＨ，２は、ｎｏｎ−ＭＣＣのＣＷ（あるいはＴＢ）に対するＡＣＫ／ＮＡＣＫのために占有されたＰＵＣＣＨリソースインデックスを表す。ｎ（１）ＰＵＣＣＨ，ｉ（ｉ＝０，１，２）は、明示的に与えられたり、既存ＬＴＥの方法によって暗黙的に与えられたりすることができる（例、数学式１参照）。ＡＣＫ／ＮＡＣＫ状態に対応するｂ（０）ｂ（１）が暗黙的ＰＵＣＣＨリソースを用いて伝送される。ｂ（０）ｂ（１）は、ＰＵＣＣＨフォーマット１ｂを通じて伝送されてよい。この場合、ＰＵＣＣＨリソースは、ＰＵＣＣＨフォーマット１ｂのためのＰＵＣＣＨリソースを表す。
【０１２１】
図２１は、ＰＣＣとＳＣＣの両方がｎｏｎ−ＭＩＭＯ伝送モードである場合（すなわち、２個のＡ／Ｎ伝送が要求される）、Ａ／Ｎ状態をマッピングする方法を例示する。本例の場合、ＰＣＣのＣＷ（あるいはＴＢ）に対するＡＣＫ／ＮＡＣＫのために占有された１個のＰＵＣＣＨリソース（以下、ＰＣＣ  ＰＵＣＣＨという。）とＳＣＣのＣＷ（あるいはＴＢ）に対するＡＣＫ／ＮＡＣＫのために占有された１個のＰＵＣＣＨリソース（以下、ＳＣＣ  ＰＵＣＣＨという。）が用いられる。ＰＣＣ  ＰＵＣＣＨは、暗黙的に与えられてよい。ＳＣＣ  ＰＵＣＣＨは、明示的あるいは暗黙的に与えられてよい。
【０１２２】
図２１を参照すると、まず、ＰＣＣ  ＰＵＣＣＨに上記の提案ＰＣＣフォールバック方法を適用してＡ／Ｎ状態をマッピングし、提案方法１ｂを適用して（ＰＣＣ＋ＳＣＣ）に対して（Ｄ＋Ｎ）であるＡ／Ｎ状態を、ＳＣＣ  ＰＵＣＣＨにマッピングすることができる。次に、上記の暗黙的マッピング規則を守って（ＰＣＣ＋ＳＣＣ）に対する残り２個のＡ／Ｎ状態（Ａ＋Ａ）、（Ｎ／Ｄ＋Ａ）をマッピングすることができる。
【０１２３】
表１０には、図２１によるＡ／Ｎ状態マッピングテーブルを例示する。表１０は、ＡＣＫ／ＮＡＣＫ選択のための全体Ａ／Ｎ状態のうち、ＰＣＣフォールバックが行われる一部状態を表す。残りのＡＣＫ／ＮＡＣＫ状態を伝送するのに用いられるＰＵＣＣＨリソース及びビット値のマッピング関係は、本発明で任意に定義すればよい。すなわち、残りのＡＣＫ／ＮＡＣＫ状態を伝送するのに用いられるＰＵＣＣＨリソース及びビット値のマッピング関係は、本発明においてｄｏｎ’ｔ  ｃａｒｅである。表１０に、２個のＰＵＣＣＨリソースを用いてＡＣＫ／ＮＡＣＫ選択を行う場合を例示する。
【０１２４】
【表１０】
2014135758.tif 000016
ここで、ＨＡＲＱ−ＡＣＫ（０）は、ＰＣＣのＣＷ（あるいはＴＢ）に対するＡＣＫ／ＮＡＣＫ／ＤＴＸ応答を表し、ＨＡＲＱ−ＡＣＫ（１）は、ＳＣＣのＣＷ（あるいはＴＢ）に対するＡＣＫ／ＮＡＣＫ／ＤＴＸ応答を表す。ＡＣＫ／ＮＡＣＫ／ＤＴＸ応答は、ＡＣＫ、ＮＡＣＫ、ＤＴＸまたはＮＡＣＫ／ＤＴＸを含む。ｎ（１）ＰＵＣＣＨ，ｉ（ｉ＝０，１）は、ＡＣＫ／ＮＡＣＫ選択のために占有された複数のＰＵＣＣＨリソースインデックスを表す。ｎ（１）ＰＵＣＣＨ，０は、ＰＣＣのＣＷ（あるいはＴＢ）に対するＡＣＫ／ＮＡＣＫのために占有されたＰＵＣＣＨリソースインデックスを表す。ｎ（１）ＰＵＣＣＨ，１は、ＳＣＣのＣＷ（あるいはＴＢ）に対するＡＣＫ／ＮＡＣＫのために占有されたＰＵＣＣＨリソースインデックスを表す。ｎ（１）ＰＵＣＣＨ，０は暗黙的に与えられてよい（例、数学式１参照）。ｎ（１）ＰＵＣＣＨ，１は明示的に与えられたり、暗黙的に与えられたりすることができる。ｂ（０）ｂ（１）は、ＰＵＣＣＨフォーマット１ｂを通じて伝送されてよい。この場合、ＰＵＣＣＨリソースは、ＰＵＣＣＨフォーマット１ｂのためのＰＵＣＣＨリソースを表す。
【０１２５】
一方、暗黙的ＰＵＣＣＨリソースを使用した他のＡＣＫ／ＮＡＣＫ選択方案として、上記の例示とは違い、ＭＩＭＯ伝送モードＣＣの場合、伝送されたＣＷ数にかかわらず、該当のＣＣをスケジューリングするＰＤＣＣＨの最小ＣＣＥインデックスｎＰＤＣＣＨとその次のインデックス（ｎＰＤＣＣＨ＋１）にそれぞれリンクされている２個の暗黙的ＰＵＣＣＨ  ＃１、＃２を使用することを考慮することができる。また、ｎｏｎ−ＭＩＭＯ伝送モードＣＣの場合、該当のＣＣをスケジューリングするＰＤＣＣＨの最小ＣＣＥインデックスｎＰＤＣＣＨにリンクされている１個の暗黙的ＰＵＣＣＨ  ＃１のみを使用することを考慮することができる。この場合、暗黙的ＰＵＣＣＨ  ＃２に対して提案方法３を適用したり守ったりすることは不必要である。換言すれば、任意のＭＩＭＯモードＣＣに対して単一ＣＷ伝送時に用いられるＡ／Ｎ状態（例、該当のＣＣの２個のＣＷに対してＡＡ、ＮＮであるＡ／Ｎ状態）は、上記の暗黙的マッピング規則を守る限り、暗黙的ＰＵＣＣＨリソースのどこにもマッピング／伝送可能である。このような条件を、便宜上、“条件＃２”と称する。
【０１２６】
このような条件において暗黙的ＰＵＣＣＨリソースベースのＡＣＫ／ＮＡＣＫ選択のためのＡ／Ｎ状態マッピング規則は、提案方法３を除外することによって、下記のように整理することができる。
【０１２７】
１）上記の提案ＰＣＣフォールバック方法の適用
●ＰＣＣに対してＡ、ＮあるいはＡＡ、ＡＮ、ＮＡ、ＮＮであり、残りのＣＣに対していずれもＮ／ＤあるいはＮＮ／ＤであるＡ／Ｎ状態は、ＰＣＣ  ＰＵＣＣＨ  ＃１にマッピングされる。
【０１２８】
２）上記の提案方法１あるいは方法１ｂの適用
●方法１：ＰＣＣに対してＤであり、残りのＣＣに対していずれもＮ／ＤあるいはＮＮ／ＤであるＡ／Ｎ状態は伝送されないとともに、ＰＵＣＣＨリソースのどこにもマッピングされない。
【０１２９】
●方法１ｂ：特定ＣＣ（すなわち、ＸＣＣ）に対してＡ、ＮあるいはＡＡ、ＡＮ、ＮＡ、ＮＮであり、残りのＣＣに対していずれもＮ／ＤあるいはＮＮ／ＤであるＡ／Ｎ状態が、ＸＣＣにリンクされた暗黙的ＰＵＣＣＨ  ＃１にマッピングされて伝送される場合、上記のＸＣＣに対してＤであり、残りのＣＣに対していずれもＮあるいはＮＮであるＡ／Ｎ状態は、残りのＣＣにリンクされた暗黙的ＰＵＣＣＨ  ＃１リソースの一つにマッピング／伝送されることができる。ここで、上記のＸＣＣはＰＣＣでよい。
【０１３０】
３）暗黙的ＰＵＣＣＨリソースマッピングの適用（“暗黙的マッピング規則”）
●任意のＣＣに対してＮ／ＤあるいはＮＮ／ＤであるＡ／Ｎ状態は、該当のＣＣにリンクされた暗黙的ＰＵＣＣＨリソースのどこにもマッピング／伝送されることができない。
【０１３１】
４）Ａ／Ｎエラーが最小化するコンステレーションマッピングの適用（“グレー類似マッピング（ｇｒａｙ−ｌｉｋｅ  ｍａｐｐｉｎｇ）”）
●任意のＰＵＣＣＨリソースコンステレーション上で隣接シンボルにマッピングされるＡ／Ｎ状態は、Ａ／Ｎエラーが最小化するように（すなわち、該当のＡ／Ｎ状態間検出エラー時にＡ−ｔｏ−Ｎ／ＤエラーあるいはＮ／Ｄ−ｔｏ−Ａエラーが最小するように）マッピングされる。
【０１３２】
図２２は、ＰＣＣとＳＣＣの両方がＭＩＭＯモードである場合、複数のＰＵＣＣＨリソースから選択されたＰＵＣＣＨリソースにＡ／Ｎ状態をマッピングする方法を例示する（ＡＣＫ／ＮＡＣＫ選択方式）。本例の場合、ＰＣＣの２つのＣＷ（あるいは２つのＴＢ）に対するＡＣＫ／ＮＡＣＫのために占有された２つのＰＵＣＣＨリソース（以下、ＰＣＣ
ＰＵＣＣＨ  ＃１、＃２という。）とＳＣＣの２つのＣＷ（あるいは２つのＴＢ）に対するＡＣＫ／ＮＡＣＫのために占有された２つのＰＵＣＣＨリソース（以下、ＳＣＣ  ＰＵＣＣＨ  ＃１、＃２という。）が用いられる。ＰＣＣ  ＰＵＣＣＨ  ＃１、＃２は暗黙的に与えられてよい。ＳＣＣ  ＰＵＣＣＨ  ＃１、＃２は明示的あるいは暗黙的に与えられてよい。
【０１３３】
図２２を参照すると、まず、ＰＣＣ  ＰＵＣＣＨ  ＃１に上記の提案ＰＣＣフォールバック方法及び方法１を適用してＡ／Ｎ状態をマッピングする。次に、上記の暗黙的マッピング規則及びグレー類似マッピングを守って残りの３個のリソース上に残りのＡ／Ｎ状態をマッピングする。
【０１３４】
図２３は、２個のＣＣがそれぞれＭＩＭＯ、ｎｏｎ−ＭＩＭＯモードである場合、複数のＰＵＣＣＨリソースから選択されたＰＵＣＣＨリソースにＡ／Ｎ状態をマッピングする方法を例示する。本例の場合、ＭＩＭＯモードＣＣ（以下、ＭＣＣという。）の２つのＣＷ（あるいは２つのＴＢ）に対するＡＣＫ／ＮＡＣＫのために占有された２つのＰＵＣＣＨリソース（以下、ＭＣＣ  ＰＵＣＣＨ  ＃１、＃２という。）とｎｏｎ−ＭＩＭＯモードＣＣ（以下、ｎｏｎ−ＭＣＣという。）のＣＷ（あるいはＴＢ）に対するＡＣＫ／ＮＡＣＫのために占有された１個のＰＵＣＣＨリソース（以下、ｎｏｎ−ＭＣＣ  ＰＵＣＣＨという。）が用いられる。それぞれのＰＵＣＣＨリソースは明示的あるいは暗黙的に与えられてよい。
【０１３５】
図２３を参照すると、まず、ＰＣＣがＭＩＭＯモードの場合を考慮してＭＣＣ  ＰＵＣＣＨ  ＃１に上記の提案ＰＣＣフォールバック方法を適用し、ＰＣＣがｎｏｎ−ＭＩＭＯモードの場合を考慮してｎｏｎ−ＭＣＣ  ＰＵＣＣＨにも上記の提案ＰＣＣフォールバック方法を適用したＡ／Ｎ状態マッピングを考慮することができる（Ａｌｔ  ａ適用）。この時、提案方法１ｂの適用のためにＸＣＣをＭＣＣと考慮すれば（特に、ＰＣＣがＭＩＭＯモードである場合）、（ＭＣＣ＋ｎｏｎ−ＭＣＣ）に対してＭＣＣ  ＰＵＣＣＨ  ＃１には（ＮＮ＋Ｎ／Ｄ）、ｎｏｎ−ＭＣＣ  ＰＵＣＣＨには（Ｄ＋Ｎ）がマッピングされることができる。逆に、ＸＣＣをｎｏｎ−ＭＣＣと考慮すれば（特に、ＰＣＣがｎｏｎ−ＭＩＭＯモードである場合）、（ＭＣＣ＋ｎｏｎ−ＭＣＣ）に対してｎｏｎ−ＭＣＣ  ＰＵＣＣＨには（ＮＮ／Ｄ＋Ｎ）、ＭＣＣ  ＰＵＣＣＨ  ＃１には（ＮＮ＋Ｄ）がマッピングされることができる（Ａｌｔ  ｂ、ｃ適用）。上記のＡｌｔ  ａ、ｂ、ｃのいずれの方法が適用されても、ＰＣＣがＭＩＭＯモードか或いはｎｏｎ−ＭＩＭＯモードかにかかわらず、上記の提案したＰＣＣフォールバック動作を可能にすることができる。本方案によれば、少なくとも、ＲＲＣ再構成区間の間に少なくともＰＣＣのＡ／Ｎ状態に対しては基地局と端末間における不一致なく正常動作を行うことができる。次に、上記の暗黙的マッピング規則及びグレー類似マッピングを守って残りのＡ／Ｎ状態をマッピングすることができる。
【０１３６】
図２４は、ＰＣＣとＳＣＣの両方がｎｏｎ−ＭＩＭＯ伝送モードである場合（すなわち、２個のＡ／Ｎ伝送が要求される）、複数のＰＵＣＣＨリソースから選択されたＰＵＣＣＨリソースにＡ／Ｎ状態をマッピングする方法を例示する。本例の場合、ＰＣＣのＣＷ（あるいはＴＢ）に対するＡＣＫ／ＮＡＣＫのために占有された１個のＰＵＣＣＨリソース（以下、ＰＣＣ  ＰＵＣＣＨという。）とＳＣＣのＣＷ（あるいはＴＢ）に対するＡＣＫ／ＮＡＣＫのために占有された１個のＰＵＣＣＨリソース（以下、ＳＣＣ  ＰＵＣＣＨという。）が用いられる。ＰＣＣ  ＰＵＣＣＨは暗黙的に与えられてよい。ＳＣＣ  ＰＵＣＣＨは明示的あるいは暗黙的に与えられてよい。
【０１３７】
図２４を参照すると、まず、ＰＣＣ  ＰＵＣＣＨに上記の提案ＰＣＣフォールバック方法を適用し、ＳＣＣ  ＰＵＣＣＨに提案方法１ｂを適用して、（ＰＣＣ＋ＳＣＣ）に対して（Ｄ＋Ｎ）であるＡ／Ｎ状態をマッピングすることができる。次に、上記の暗黙的マッピング規則及びグレー類似マッピングを守って残りのＡ／Ｎ状態をマッピングすることができる。この場合、最終Ａ／Ｎ状態マッピング結果は、上記の条件＃１に基づくＡ／Ｎ状態マッピング結果（図２１）と類似あるいは同一でよい。
【０１３８】
一方、暗黙的ＰＵＣＣＨリソースを用いたさらに他のＡＣＫ／ＮＡＣＫ選択方案として、上述の例示とは違い、伝送モードによらず、任意のＣＣに対して該当のＣＣをスケジューリングするＰＤＣＣＨの最小ＣＣＥインデックスｎＰＤＣＣＨにリンクされている暗黙的ＰＵＣＣＨリソースのみを使用することを考慮することができる。また、ＭＩＭＯモードＣＣの数をＭとする場合、Ｍ個の明示的ＰＵＣＣＨリソースを共に使用することを考慮することができる。この場合、明示的ＰＵＣＣＨリソースに対しては提案方法３及び上記の暗黙的マッピング規則の適用／遵守は不必要である。このような条件を、便宜上、“条件＃３”とする。
【０１３９】
このような条件において暗黙的ＰＵＣＣＨリソースベースのＡＣＫ／ＮＡＣＫ選択のためのＡ／Ｎ状態マッピング規則は、提案方法３及び上記の暗黙的マッピング規則を除外することによって、下記のように整理することができる。
【０１４０】
１）上記の提案ＰＣＣフォールバック方法の適用
●ＰＣＣに対してＡ、ＮあるいはＡＡ、ＡＮ、ＮＡ、ＮＮであり、残りのＣＣに対していずれもＮ／ＤあるいはＮＮ／ＤであるＡ／Ｎ状態は、ＰＣＣ  ＰＵＣＣＨ  ＃１にマッピングされる。
【０１４１】
２）上記の提案方法１あるいは方法１ｂの適用
●方法１：ＰＣＣに対してＤであり、残りのＣＣに対していずれもＮ／ＤあるいはＮＮ／ＤであるＡ／Ｎ状態は伝送されないとともに、ＰＵＣＣＨリソースのどこにもマッピングされない。
【０１４２】
●方法１ｂ：特定ＣＣ（すなわち、ＸＣＣ）に対してＡ、ＮあるいはＡＡ、ＡＮ、ＮＡ、ＮＮであり、残りのＣＣに対していずれもＮ／ＤあるいはＮＮ／ＤであるＡ／Ｎ状態が、ＸＣＣにリンクされた暗黙的ＰＵＣＣＨ  ＃１にマッピングされて伝送される場合、上記のＸＣＣに対してＤであり、残りのＣＣに対していずれもＮあるいはＮＮであるＡ／Ｎ状態は、残りのＣＣにリンクされた暗黙的ＰＵＣＣＨ  ＃１リソースの一つにマッピング／伝送されることができる。ここで、上記のＸＣＣはＰＣＣでよい。
【０１４３】
３）Ａ／Ｎエラーが最小化するコンステレーションマッピングの適用（“グレー類似マッピング”）
●任意のＰＵＣＣＨリソースコンステレーション上の隣接シンボルにマッピングされるＡ／Ｎ状態は、Ａ／Ｎエラーが最小化するように（すなわち、該当のＡ／Ｎ状態間検出エラー時にＡ−ｔｏ−Ｎ／ＤエラーあるいはＮ／Ｄ−ｔｏ−Ａエラーが最小化するように）マッピングする。
【０１４４】
上記に基づき、３通りの場合（ＰＣＣとＳＣＣの両者ともＭＩＭＯモード、両者がそれぞれＭＩＭＯ／ｎｏｎ−ＭＩＭＯモード、両者ともｎｏｎ−ＭＩＭＯモード）に対するＡ／Ｎ状態マッピング結果は、上記の条件＃２に基づくＡ／Ｎ状態マッピング結果（図２２、２３、２４）と類似あるいは同一でよい。
【０１４５】
図２５は、本発明に実施例が適用されうる基地局及び端末を示す図である。無線通信システムにリレーが含まれる場合、バックホールリンクにおいて通信は基地局とリレーとの間に行われ、アクセスリンクにおいて通信はリレーと端末との間に行われる。したがって、図示の基地局または端末は、状況に応じてリレーに取って代わることができる。
【０１４６】
図２５を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ；ＲＦ）ユニット１１６を含む。プロセッサ１１２は、本発明で提案した手順及び／または方法を具現するように構成されればよい。メモリー１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成されればよい。メモリー１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１２０は、単一アンテナまたは多重アンテナを有することができる。
【０１４７】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０１４８】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１４９】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１５０】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されてよい。メモリユニットは、プロセッサの内部または外部に設けられ、既に公知の様々な手段によりプロセッサとデータを交換することができる。
【０１５１】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
本願明細書は、例えば、以下の項目も提供する。
（項目１）
無線通信システムにおいてプライマリセル及びセカンダリセルを含む複数のセルが構成された状況でアップリンク制御情報を伝送する方法であって、
ＰＵＣＣＨ（Ｐｈｙｓｉｃａｌ  Ｕｐｌｉｎｋ  Ｃｏｎｔｒｏｌ  Ｃｈａｎｎｅｌ）フォーマット１のための複数のＰＵＣＣＨリソースから、複数のＨＡＲＱ  ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのＰＵＣＣＨリソースを選択し、
前記選択されたＰＵＣＣＨリソースを用いて前記複数のＨＡＲＱ−ＡＣＫに対応するビット値を伝送すること、を含み、
前記複数のＨＡＲＱ−ＡＣＫ、ＰＵＣＣＨリソース、ビット値間の関係は、表１の関係を含む方法：
【化３】
2014135758.tif 000017
表１で、ＨＡＲＱ−ＡＣＫ（０）は、プライマリセルと関連したデータブロックに対するＡＣＫ／ＮＡＣＫ／ＤＴＸ応答を表し、ＨＡＲＱ−ＡＣＫ（１）は、セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は前記ビット値を表す。
（項目２）
前記複数のＨＡＲＱ−ＡＣＫ、ＰＵＣＣＨリソース、ビット値間の関係は、表２の関係をさらに含む、項目１に記載の方法：
【化４】
2014135758.tif 000018
表２で、ＨＡＲＱ−ＡＣＫ（０）（１）は、プライマリセルと関連したデータブロックに対するＡＣＫ／ＮＡＣＫ／ＤＴＸ応答を表し、ＨＡＲＱ−ＡＣＫ（２）（３）は、セカンダリセルと関連したデータブロックに対するＡＣＫ／ＮＡＣＫ／ＤＴＸ応答を表し、ｎ（１）ＰＵＣＣＨ，ｉ（ｉ＝０，１，２，３）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は、前記ビット値を表す。
（項目３）
前記ＨＡＲＱ−ＡＣＫ（０）がＤＴＸであり、前記ＨＡＲＱ−ＡＣＫ（１）がＮＡＣＫである場合、前記複数のＨＡＲＱ−ＡＣＫは、伝送がドロップされる、項目１に記載の方法。
（項目４）
前記ＨＡＲＱ−ＡＣＫ（０）（１）がいずれもＤＴＸであり、前記ＨＡＲＱ−ＡＣＫ（２）（３）がいずれもＮＡＣＫである場合、前記複数のＨＡＲＱ−ＡＣＫは、伝送がドロップされる、項目２に記載の方法。
（項目５）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目１に記載の方法。
（項目６）
無線通信システムにおいてプライマリセルとセカンダリセルを含む複数のセルが構成された状況でアップリンク制御情報を伝送するように構成された通信装置であって、
無線周波数（Ｒａｄｉｏ  Ｆｒｅｑｕｅｎｃｙ、ＲＦ）ユニットと、
プロセッサと、を含み、
前記プロセッサは、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１のための複数のＰＵＣＣＨリソースから、複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのＰＵＣＣＨリソースを選択し、前記選択されたＰＵＣＣＨリソースを用いて前記複数のＨＡＲＱ−ＡＣＫに対応するビット値を伝送するように構成され、
前記複数のＨＡＲＱ−ＡＣＫ、ＰＵＣＣＨリソース、ビット値間の関係は、表１の関係を含む通信装置：
【化５】
2014135758.tif 000019
表１で、ＨＡＲＱ−ＡＣＫ（０）は、プライマリセルと関連したデータブロックに対するＡＣＫ／ＮＡＣＫ／ＤＴＸ応答を表し、ＨＡＲＱ−ＡＣＫ（１）は、セカンダリセルと関連したデータブロックに対するＡＣＫ／ＮＡＣＫ／ＤＴＸ応答を表し、ｎ（１）ＰＵＣＣＨ，ｉ（ｉ＝０，１）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は前記ビット値を表す。
（項目７）
前記複数のＨＡＲＱ−ＡＣＫ、ＰＵＣＣＨリソース、ビット値間の関係は、表２の関係をさらに含む、項目６に記載の通信装置：
【化６】
2014135758.tif 000020
表２で、ＨＡＲＱ−ＡＣＫ（０）（１）は、プライマリセルと関連したデータブロックに対するＡＣＫ／ＮＡＣＫ／ＤＴＸ応答を表し、ＨＡＲＱ−ＡＣＫ（２）（３）は、セカンダリセルと関連したデータブロックに対するＡＣＫ／ＮＡＣＫ／ＤＴＸ応答を表し、ｎ（１）ＰＵＣＣＨ，ｉ（ｉ＝０，１，２，３）は、前記ＰＵＣＣＨフォーマット１のための複数のＰＵＣＣＨリソースを表し、ｎ（１）ＰＵＣＣＨ，０は、プライマリセル上のＰＤＣＣＨ（Ｐｈｙｓｉｃａｌ  Ｄｏｗｎｌｉｎｋ  Ｃｏｎｔｒｏｌ  Ｃｈａｎｎｅｌ）にリンクされたＰＵＣＣＨリソースを表し、ｂ（０）ｂ（１）は、前記ビット値を表す。
（項目８）
前記ＨＡＲＱ−ＡＣＫ（０）がＤＴＸであり、前記ＨＡＲＱ−ＡＣＫ（１）がＮＡＣＫである場合、前記複数のＨＡＲＱ−ＡＣＫは、伝送がドロップされる、項目６に記載の通信装置。
（項目９）
前記ＨＡＲＱ−ＡＣＫ（０）（１）がいずれもＤＴＸであり、前記ＨＡＲＱ−ＡＣＫ（２）（３）がいずれもＮＡＣＫである場合、前記複数のＨＡＲＱ−ＡＣＫは、伝送がドロップされる、項目６に記載の通信装置。
（項目１０）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目６に記載の通信装置。
（項目１１）
無線通信システムにおいてプライマリセルとセカンダリセルを含む複数のセルが構成された状況で端末がアップリンク制御情報を伝送する方法であって、
複数のアップリンク制御チャネルリソースから、複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのアップリンク制御チャネルリソースを選択し、
前記選択されたアップリンク制御チャネルリソースを用いて前記複数のＨＡＲＱ−ＡＣＫに対応する変調シンボルを伝送すること、を含み、
それぞれのＨＡＲＱ−ＡＣＫは、ＡＣＫ／ＮＡＣＫ／ＤＴＸ応答を表し、
プライマリセルと関連したデータブロックに対する一つ以上の第１ＨＡＲＱ−ＡＣＫを除いて、一つ以上のセカンダリセルと関連したデータブロックに対する第２ＨＡＲＱ−ＡＣＫがいずれもＮＡＣＫまたはＤＴＸ（Ｄｉｓｃｏｎｔｉｎｕｏｕｓ  Ｔｒａｎｓｍｉｓｓｉｏｎ）であれば、前記複数のＨＡＲＱ−ＡＣＫ及び前記変調シンボルのマッピング関係は、前記一つ以上の第１ＨＡＲＱ−ＡＣＫを基準に、単一ダウンリンクキャリア上から受信された一つ以上のデータブロックに対するＨＡＲＱ−ＡＣＫ及び変調シンボルのマッピング関係と同一である、方法。
（項目１２）
前記一つ以上の第１ＨＡＲＱ−ＡＣＫがいずれもＤＴＸであり、前記第２ＨＡＲＱ−ＡＣＫがいずれもＮＡＣＫである場合、前記複数のＨＡＲＱ−ＡＣＫは、伝送がドロップされる、項目１１に記載の方法。
（項目１３）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目１１に記載の方法。
（項目１４）
前記アップリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、前記ダウンリンク制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含む、項目１１に記載の方法。
（項目１５）
無線通信システムにおいてプライマリセルとセカンダリセルを含む複数のセルが構成された状況でアップリンク制御情報を伝送するように構成された通信装置であって、
無線周波数（Ｒａｄｉｏ  Ｆｒｅｑｕｅｎｃｙ、ＲＦ）ユニットと、
プロセッサと、を含み、
前記プロセッサは、複数のアップリンク制御チャネルリソースから、複数のＨＡＲＱ−ＡＣＫ（Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ）に対応する一つのアップリンク制御チャネルリソースを選択し、前記選択されたアップリンク制御チャネルリソースを用いて前記複数のＨＡＲＱ−ＡＣＫに対応する変調シンボルを伝送するように構成され、
それぞれのＨＡＲＱ−ＡＣＫはＡＣＫ／ＮＡＣＫ／ＤＴＸ応答を表し、
プライマリセルと関連したデータブロックに対する一つ以上の第１ＨＡＲＱ−ＡＣＫを除いて、一つ以上のセカンダリセルと関連したデータブロックに対する第２ＨＡＲＱ−ＡＣＫがいずれもＮＡＣＫまたはＤＴＸ（Ｄｉｓｃｏｎｔｉｎｕｏｕｓ  Ｔｒａｎｓｍｉｓｓｉｏｎ）であれば、前記複数のＨＡＲＱ−ＡＣＫ及び前記変調シンボルのマッピング関係は、前記一つ以上の第１ＨＡＲＱ−ＡＣＫを基準に、単一ダウンリンクキャリア上から受信された一つ以上のデータブロックに対するＨＡＲＱ−ＡＣＫ及び変調シンボルのマッピング関係と同一である、通信装置。
（項目１６）
前記一つ以上の第１ＨＡＲＱ−ＡＣＫがいずれもＤＴＸであり、前記第２ＨＡＲＱ−ＡＣＫがいずれもＮＡＣＫである場合、前記複数のＨＡＲＱ−ＡＣＫは、伝送がドロップされる、項目１５に記載の通信装置。
（項目１７）
前記プライマリセルは、ＰＣＣ（Ｐｒｉｍａｒｙ  Ｃｏｍｐｏｎｅｎｔ  Ｃａｒｒｉｅｒ）を含み、前記セカンダリセルは、ＳＣＣ（Ｓｅｃｏｎｄａｒｙ  Ｃｏｍｐｏｎｅｎｔ  Ｃａｒｒｉｅｒ）を含む、項目１５に記載の通信装置。
（項目１８）
前記アップリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、前記ダウンリンク制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含む、項目１５に記載の通信装置。
【産業上の利用可能性】
【０１５２】
本発明は、端末、リレー、基地局などのような無線通信装置に適用することができる。
【図１】
2014135758.tif 000023
【図２】
2014135758.tif 000024
【図３】
2014135758.tif 000025
【図４】
2014135758.tif 000026
【図５】
2014135758.tif 000027
【図６】
2014135758.tif 000028
【図７】
2014135758.tif 000029
【図８】
2014135758.tif 000030
【図９】
2014135758.tif 000031
【図１０】
2014135758.tif 000032
【図１１】
2014135758.tif 000033
【図１２】
2014135758.tif 000034
【図１３】
2014135758.tif 000035
【図１４Ａ】
2014135758.tif 000036
【図１４Ｂ】
2014135758.tif 000037
【図１５Ａ】
2014135758.tif 000038
【図１５Ｂ】
2014135758.tif 000039
【図１６Ａ】
2014135758.tif 000040
【図１６Ｂ】
2014135758.tif 000041
【図１７Ａ】
2014135758.tif 000042
【図１７Ｂ】
2014135758.tif 000043
【図１８Ａ】
2014135758.tif 000044
【図１８Ｂ】
2014135758.tif 000045
【図１９】
2014135758.tif 000046
【図２０】
2014135758.tif 000047
【図２１】
2014135758.tif 000048
【図２２】
2014135758.tif 000049
【図２３】
2014135758.tif 000050
【図２４】
2014135758.tif 000051
【図２５】
2014135758.tif 000052